(57)【要約】【課題】  表示部に表示された被写体の画像を見ながら撮影することができ、撮影時における操作性が良い。【解決手段】  表示部５を有する第１ケース１とキー入力部７を有する第２ケース２とが撮影部１２１を内蔵した連結軸１２０によって開閉可能に連結され、第１、第２ケース１、２を開いたときに、表示部５の表示面とキー入力部７の入力面とが同じ方向を向き、撮影部１２１の撮影方向が表示面と入力面とに対し反対方向を向くように構成した。従って、第１、第２ケース１、２を開くだけの簡単な操作で表示部５の表示面を撮影部１２１の撮影方向と反対方向に向けることができる。このため、撮影するときに、表示部５に表示された被写体の画像を見ながら撮影することができると共に、撮影部１２１がズーム機構部を有しているので、表示部５に表示された被写体の画像を見ながら被写体の撮影範囲を調節することができる。【選択図】        図３８
2005295228.tif 000002
【特許請求の範囲】
【請求項１】
表示部を有する第１ケースと、
キー入力部を有する第２ケースと、
前記第１、第２ケースを開閉可能に連結する連結部と、
この連結部内に設けられ、ズーム機能部を有する撮影部とを備え、
前記第１、第２ケースを開いたときに、前記表示部の表示面と前記キー入力部の入力面とが同じ方向を向き、前記撮影部の撮影方向が前記表示面および前記入力面に対して反対方向を向くことを特徴とする携帯型電子機器。
【請求項２】
前記連結部は、前記表示部の表示面と前記キー入力部の入力面とに対して垂直方向に設けられていることを特徴とする請求項１に記載の携帯型電子機器。
【請求項３】
前記連結部は、前記表示部の表示面と前記キー入力部の入力面とに対して垂直方向に設けられた第１軸部と、この第１軸部に直交して設けられた第２軸部とからなり、この第２軸部が設けられた部分を除く前記第１軸部に前記第１、第２ケースの一方が回転可能に取り付けられ、前記第２軸部に前記第１、第２ケースの他方が回動可能に取り付けられていることを特徴とする請求項１に記載の携帯型電子機器。
【請求項４】
前記撮影部の前記ズーム機能部は、前記表示部の表示面と前記キー入力部の入力面とに対する垂直方向にズーム移動することを特徴とする請求項１〜３のいずれかに記載の携帯型電子機器。
【請求項５】
前記第１、第２ケースの一方の側面に設けられ、前記ズーム機能部をズーム移動させるための外部操作子を備えていることを特徴とする請求項４に記載の携帯型電子機器。
【請求項６】
前記外部操作子は、半押し状態のときに前記撮影部の前記ズーム機能部を動作させ、完全に押し込んだときに前記撮影部で被写体の画像を取り込むことを特徴とする請求項５に記載の携帯型電子機器。
【請求項７】
前記撮影部の前記ズーム機能部をズーム駆動するためのモータ部と、前記第１、第２ケースの一方に設けられた外部操作子と、この外部操作子の操作に応答して前記モータ部の駆動回転を前記第１、第２ケースの一方に伝達させて前記第１、第２ケースを相対的に開閉させる開閉伝達部とを備えていることを特徴とする請求項１に記載の携帯型電子機器。
【請求項８】
前記第１、第２ケースの相対的な開閉状態を検出する検出手段と、この検出手段で検出された検出信号に基づいて前記表示部の表示形態を制御する制御手段とを備えたことを特徴とする請求項１〜７のいずれかに記載の携帯型電子機器。
【請求項９】
前記撮影部で撮影する被写体に向けて閃光を発する閃光部を備えていることを特徴とする請求項１〜８のいずれかに記載の携帯型電子機器。
【請求項１０】
前記閃光部で発光する光の放射方向または光の放射範囲を前記撮影部の撮影状態に応じて可変させる光照射調節機構を備えていることを特徴とする請求項９に記載の携帯型電子機器。
【発明の詳細な説明】
【技術分野】
【０００１】
この発明は、携帯電話機や携帯端末機などの携帯型電子機器に関する。
【背景技術】
【０００２】
例えば、携帯電話機においては、電話機能を有するほかに、電話機本体に撮影部を設け、この撮影部で被写体の画像を画像データとして取り込む撮影機能を備えたものがある。
このような携帯電話機では、撮影部で被写体を撮影することはできても、撮影部による被写体の撮影範囲が限定されてしまい、所望する大きさの被写体の画像を得ることができない。このような不都合を改善するために、ズーム機能部を有する撮影部を電話機本体に設けた構造のものが開発されている。
【特許文献１】特開２００２−２７７７２３号公報
【０００３】
しかし、このような携帯電話機では、撮影部がズーム機能部を有するので、被写体の撮影範囲を調節することにより、例えば遠くに位置する被写体の画像を大きく撮影することはできるが、撮影部が電話機本体の表示部と同じ表面に設けられていると、使用者以外の被写体、例えば風景などの被写体を撮影するときに、表示部に被写体の画像を表示させても、この表示された被写体の画像を見ながら撮影することができないという問題がある。
【０００４】
そこで、従来では、表示部を有する第１ケースとキー入力部を有する第２ケースとをヒンジ部によって折り畳み可能に連結し、このヒンジ部内に撮影部を設けた構造のものが開発されている。この折り畳み式の携帯電話機では、第１、第２ケースの対向面に表示部とキー入力部とが互いに対向して設けられ、ヒンジ部が表示部の表示面およびキー入力部の入力面に沿って設けられている。このため、この携帯電話機では、撮影部で被写体を撮影するときに、表示部の表示面を被写体と反対方向に向けるために、表示部を第１ケースに回動可能に取り付け、撮影時に表示部を第１ケースに対し回動させて開くことにより、表示部の表示面をヒンジ部の軸方向に対して直交させるように構成されている。
【特許文献２】特開２００３−２９５９７６３号公報
【発明の開示】
【発明が解決しようとする課題】
【０００５】
しかしながら、このような従来の折り畳み式の携帯電話機では、ヒンジ部を中心に第１、第２ケースを回動させて開くことにより、電話機として使用することができても、撮影部で撮影するときには、表示部を第１ケースに対し更に回動させて開かなければ、表示部の表示面を撮影方向と反対方向に向けることができない。このため、撮影するときの操作が煩雑で面倒であるばかりか、表示部を開いて第１ケースから突出させた状態で、撮影しなければならず、自然な状態で第１、第２ケースを持つことができないため、第１、第２ケースを持ちずらく、撮影しにくいという問題がある。特に、第１ケースに対して表示部を電気的に接続した状態で回動可能に取り付けなければならないため、その構造が複雑になるという問題もある。
【０００６】
この発明が解決しようとする課題は、簡単な構造で、表示部に表示された被写体の画像を見ながら撮影することができると共に、撮影するときに持ち易く操作性の良い携帯型電子機器を提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図３８に示すように、表示部（５）を有する第１ケース（１）と、キー入力部（７）を有する第２ケース（２）と、前記第１、第２ケースを開閉可能に連結する連結部（回転軸３、連結軸１２０）と、この連結部内に設けられたズーム機能部（１８、５６、７０）を有する撮影部（４、５５、６０、１２１）とを備え、
前記第１、第２ケースを開いたときに、前記表示部の表示面と前記キー入力部の入力面とが同じ方向を向き、前記撮影部の撮影方向が前記表示面および前記入力面に対して反対方向を向くことを特徴とする携帯型電子機器である。
【０００９】
請求項２に記載の発明は、図１〜図２９に示すように、前記連結部（回転軸３）が、前記表示部（５）の表示面と前記キー入力部（７）の入力面とに対して垂直方向に設けられていることを特徴とする請求項１に記載の携帯型電子機器である。
【００１０】
請求項３に記載の発明は、図３０〜図３８に示すように、前記連結部（連結軸１２０）が、前記表示部（５）の表示面と前記キー入力部（７）の入力面とに対して垂直方向に設けられた第１軸部（１２３）と、この第１軸部に直交して設けられた第２軸部（１２４）とからなり、この第２軸部が設けられる部分を除く前記第１軸部に前記第１、第２ケース（１、２）の一方（例えば第２ケース２）が回転可能に取り付けられ、前記第２軸部に前記第１、第２ケースの他方（例えば第１ケース１）が回動可能に取り付けられていることを特徴とする請求項１に記載の携帯型電子機器である。
【００１１】
請求項４に記載の発明は、図１〜図３８に示すように、前記撮影部（４、５５、６０、１２１）の前記ズーム機能部（１８、５６、７０）が、前記表示部（５）の表示面と前記キー入力部（７）の入力面とに対する垂直方向にズーム移動することを特徴とする請求項１〜３のいずれかに記載の携帯型電子機器である。
【００１２】
請求項５に記載の発明は、図１〜図３８に示すように、前記第１、第２ケース（１、２）の一方の側面に設けられ、前記ズーム機能部（１８、５６、７０）をズーム移動させるための外部操作子（操作スイッチ８、またはシャッタスイッチ９）を備えていることを特徴とする請求項４に記載の携帯型電子機器である。
【００１３】
請求項６に記載の発明は、図１６〜図３８に示すように、前記外部操作子（シャッタスイッチ９）が、半押し状態のときに前記撮影部（６０、１２１）の前記ズーム機能部（７０）を動作させ、完全に押し込んだときに前記撮影部で被写体の画像を取り込むことを特徴とする請求項５に記載の携帯型電子機器である。
【００１４】
請求項７に記載の発明は、図１〜図１５に示すように、前記撮影部（４、５５）の前記ズーム機能部（１８、５６）をズーム駆動するためのモータ部（モータ２０）と、前記第１、第２ケース（１、２）の一方に設けられた外部操作子（操作スイッチ８）と、この外部操作子の操作に応答して前記モータ部の駆動回転を前記第１、第２ケースの一方に伝達させて前記第１、第２ケースを相対的に開閉させる開閉伝達部（回転伝達部２３）とを備えていることを特徴とする請求項１に記載の携帯型電子機器である。
【００１５】
請求項８に記載の発明は、図１〜図２９に示すように、前記第１、第２ケース（１、２）の相対的な開閉状態を検出する検出手段（光センサ３９）と、この検出手段で検出された検出信号に基づいて前記表示部（５）の表示形態を制御する制御手段（ＣＰＵ４５）とを備えたことを特徴とする請求項１〜７のいずれかに記載の携帯型電子機器である。
【００１６】
請求項９に記載の発明は、図１６〜図２９に示すように、前記撮影部（６０）で撮影する被写体に向けて閃光を発する閃光部（第１、第２ストロボ部６１、６２、またはストロボ部１０５）を備えていることを特徴とする請求項１〜８のいずれかに記載の携帯型電子機器である。
【００１７】
請求項１０に記載の発明は、図１６〜図２９に示すように、前記閃光部（第１、第２ストロボ部６１、６２、またはストロボ部１０５）で発光する光の放射方向または光の放射範囲を前記撮影部（６０）の撮影状態に応じて可変させる光照射調節機構（８５、１０６、１１０）を備えていることを特徴とする請求項９に記載の携帯型電子機器である。
【発明の効果】
【００１８】
請求項１に記載の発明によれば、表示部を有する第１ケースとキー入力部を有する第２ケースとが撮影部を内蔵した連結部によって開閉可能に連結され、この状態で第１、第２ケースを開くと、表示部の表示面とキー入力部の入力面とが同じ方向を向き、撮影部の撮影方向が表示面および入力面に対して反対方向を向くので、第１、第２ケースを開くだけの簡単な操作で表示部の表示面を撮影部の撮影方向と反対方向に向けることができる。
【００１９】
このため、撮影するときに、表示部に表示された被写体の画像を見ながら撮影することができると共に、自然な状態で第１、第２ケースの一方を持つことができるので、機器全体が持ち易く操作性が良いほか、撮影部がズーム機能部を有していることにより、表示部に表示された被写体の画像を見ながら被写体の撮影範囲を調節することができ、このため所望する大きさの被写体の画像を良好に得ることができる。また、撮影部を内蔵した連結部によって第１、第２ケースを開閉可能に連結するだけで良いので、構造が簡単で、安価なものを得ることができる。
【００２０】
請求項２に記載の発明によれば、連結部が表示部の表示面とキー入力部の入力面とに対して垂直方向に設けられていることにより、連結部の一端部側に第１、第２ケースの一方を回転可能に取り付け、連結部の他端部側に第１、第２ケースの他方を回転可能に取り付けるか、または固定するだけで良いので、連結構造が簡単である。このときには、第１、第２ケースを重ね合わせた状態で、第１ケースの表示部が常に露出するように連結部によって連結すれば良い。このようにすれば、連結部を中心に第１、第２ケースを表示面と入力面との各面方向に沿って回動させることにり、第１、第２ケースを開閉するができると共に、表示部が常に露出しているので、第１、第２ケースを開いた状態でも、また閉じた状態でも、表示部に表示された情報をいつでも自由に見ることができる。
【００２１】
請求項３に記載の発明によれば、連結部が、表示部の表示面とキー入力部の入力面とに対して垂直方向に設けられた第１軸部と、この第１軸部に直交して設けられた第２軸部とからなり、この第２軸部が設けられる部分を除く第１軸部に第１、第２ケースの一方が回転可能に取り付けられ、第２軸部に第１、第２ケースの他方が回動可能に取り付けられていることにより、第１軸部を中心に第１、第２ケースの一方（例えば第２ケース）をその他方（例えば第１ケース）に対し表示面および入力面の各面方向に沿って相対的に回動させることができると共に、第２軸部を中心に第１、第２ケースの他方（例えば第１ケース）をその一方（例えば第２ケース）に対し起立する方向に回動させることができ、これによりいずれの方向にも回動させて第１、第２ケースを開くことができるほか、第１、第２ケースの他方を起立させた状態で、この起立した第１、第２ケースの他方を第１軸部を中心に更に回動させて表示部の表示面とキー入力部の入力面との向きを変えることもできる。
【００２２】
これにより、第１、第２ケースを重ね合わせて閉じる際には、表示部の表示面とキー入力部の入力面とを同じ方向に向けることができるほか、表示部の表示面とキー入力部の入力面とを対面させることもでき、これによりいずれの状態でも第１、第２ケースを重ね合わせて閉じることができる。このとき、表示部の表示面とキー入力部の入力面とを同じ方向に向けた状態で、第１、第２ケースを重ね合わせた場合には、請求項１に記載の発明と同様、撮影部の撮影方向を表示部の表示面と反対方向に向けることができるので、第１、第２ケースを重ね合わせて閉じた状態でも、表示部に表示された被写体の画像を見ながら撮影することができる。
【００２３】
請求項４に記載の発明によれば、撮影部のズーム機能部が表示部の表示面とキー入力部の入力面とに対する垂直方向にズーム移動することにより、撮影部がズーム機能部を有していても、第１ケースの表示部および第２ケースのキー入力部が撮影部のズーム機能部によって制約を受けることがなく、表示部およびキー入力部の各設置領域を第１、第２ケースにそれぞれ十分に確保することができる。
【００２４】
請求項５に記載の発明によれば、第１、第２ケースの一方の側面にズーム機能部をズーム移動させるための外部操作子を設けているので、外部操作子が表示部またはキー入力部を制約することがなく、これによっても表示部およびキー入力部の設置領域を十分に確保することができるほか、特に第１、第２ケースのいずれか一方の側面に外部操作子が設けられていることにより、第１、第２ケースを重ね合わせて閉じた状態でも、また第１、第２ケースを互いに開いた状態でも、外部操作子が常に外部に露出するので、外部操作子を容易に且つ良好に操作することができる。
【００２５】
この場合、例えば外部操作子が連結部の近傍に位置する第１、第２ケースの一方の側面に設けられていれば、第１、第２ケースを重ね合わせて閉じた状態で第１、第２ケースを両手で持っても、また第１、第２ケースを互いに開いた状態で第１、第２ケースの一方、例えばキー入力部を有する第２ケースを片手で持っても、その手の指が自然に外部操作子に接触する位置に配置されるので、撮影時に外部操作子を良好に且つ確実に操作することができる。
【００２６】
請求項６に記載の発明によれば、外部操作子が、半押し状態のときに撮影部のズーム機能部を動作させ、完全に押し込んだときに撮影部で被写体の画像を取り込むことにより、外部操作子が半押し状態のときに撮影部のズーム機能部を動作させるので、外部操作子を半押し状態のときに被写体の撮影範囲を調節して被写体のアングルを設定することができ、この状態で外部操作子が完全に押し込まれると、撮影部で被写体の画像を取り込むので、被写体の画像を所望するアングルで良好に撮影することができる。
【００２７】
請求項７に記載の発明によれば、撮影部のズーム機能部をズーム駆動するためのモータ部と、第１、第２ケースの一方に設けられた外部操作子と、この外部操作子の操作に応答してモータ部の駆動回転を第１、第２ケースの一方に伝達させて第１、第２ケースを相対的に開閉させる開閉伝達部とを備えていることにより、外部操作子を操作すると、この外部操作子の操作に応答して回転伝達部がモータ部の駆動回転を第１、第２ケースの一方に伝達して回転軸を中心に第１、第２ケースを相対的に開閉させるので、第１、第２ケースをワンタッチ操作で簡単に且つ自動的に開閉させることができると共に、ズーム機能部の駆動源を利用しているので、第１、第２ケースを相対的に開閉させるための専用駆動源が不要となり、これにより駆動源の数を最小限に抑えることができるので、低コスト化をも図ることができる。
【００２８】
請求項８に記載の発明によれば、第１、第２ケースの相対的な開閉状態を検出する検出手段と、この検出手段で検出された検出信号に基づいて表示部の表示形態を制御する制御手段とを備えていることにより、連結部を中心に第１、第２ケースが相対的に回動して開くときに、その開閉状態を検出手段で検出し、この検出した検出信号に基づいて制御手段が表示部の表示形態を制御するので、第１、第２ケースの開き状態に応じて表示部の表示状態を縦向表示や横向表示に自動的に変更することができる。
【００２９】
例えば、第１、第２ケースが連結部によって第１、第２ケースの各面方向に沿って回転する際、第１、第２ケースが相対的に９０°回転して開いたときに、表示部に表示される情報を自動的に横向表示にし、第１、第２ケースが相対的に１８０°回転して開いたときに、表示部に表示される情報を自動的に縦向表示にすることにより、第１、第２ケースの開き角度が変化しても、表示部に表示される画像などの情報を見やすくすることができる。
【００３０】
請求項９に記載の発明によれば、撮影部で撮影する被写体に向けて閃光を発する閃光部を備えていることにより、撮影時に閃光部で発光した光を被写体に照射させることができ、これにより暗い所でも被写体を良好に且つ鮮明に撮影することができる。
【００３１】
請求項１０に記載の発明によれば、閃光部で発光する光の放射方向または光の放射範囲を撮影部の撮影状態に応じて可変させる光照射調節機構を備えていることにより、閃光部で発光する光の放射方向またはその光の放射範囲を光照射調節機構によって調節することができ、これにより閃光部の光を効率良く被写体に向けて照射させることができ、このため焦点距離の長い遠くの被写体を撮影するときにも、焦点距離の短い近くの被写体を撮影するときにも、被写体を明るく且つ均一に照明することができる。
【発明を実施するための最良の形態】
【００３２】
（実施形態１）
以下、図１〜図１３を参照して、この発明の携帯型電子機器を携帯電話機に適用した実施形態１について説明する。
図１はこの発明の携帯電話機を閉じた状態の正面図、図２（Ａ）および図２（Ｂ）は図１の携帯電話機を上方から見た各平面図、図３は図１の背面図、図４は図１の携帯電話機を開いた状態の正面図、図５は図４の背面図である。
この携帯電話機は、電話機能と撮影機能とを有するものであり、図１〜図５に示すように、互いに重なり合う第１ケース１と第２ケース２とを備え、これら第１、第２ケース１、２を円筒状の回転軸３によって互いに対向する第１、第２ケース１、２の各面方向に沿って回転可能に取り付けると共に、この回転軸３内にズーム機能部を有する撮影部４を設けた構成になっている。
【００３３】
第１ケース１は、図１〜図３に示すように、ほぼ長方形状に形成され、第２ケース２と重なり合った状態で外部に露出する外表面である正面に表示部５、操作部６、およびスピーカ部５３が設けられた構成になっている。この場合、表示部５は、液晶表示素子やＥＬ表示素子（エレクトロルミネッセンス表示素子）などの平面型の表示素子からなり、図１に示すように、第１ケース１に沿って細長い長方形状に形成され、電話機能による電話データおよび撮影部４で撮影した画像のデータなどの情報を電気光学的に表示するように構成されている。また、操作部６は、モードを切り替えるためのジォグダイヤル、通話のための通話釦、シフト釦などの各種の釦を備え、回転軸３に対応する個所を中心とする表示部５の片側（図１では右側）に配置されている。スピーカ部５３は、通話相手の音声を発生するものであり、回転軸３から最も離れた第１ケース１の端部（図１では左端部）に設けられている。
【００３４】
第２ケース２は、図４および図５に示すように、第１ケース１とほぼ同じサイズの大きさに形成され、第１ケース１が重なり合う対向面にキー入力部７およびマイク部５４が設けられ、図１に示す上辺側の上側面に図２（Ａ）および図２（Ｂ）に示すように操作スイッチ８およびシャッタスイッチ９が設けられているほか、回転軸３側に位置する一側面（図３では左側面）にアンテナ１０がその側方に向けて出没可能に設けられた構成になっている。この場合、キー入力部７は、テンキー、メモキー、マナーキーなどの電話機能に必要な各種のキーを備え、図４に示すように、第２ケース２の縦長状態において、各キーが第１ケース１に対向する第２ケース２の対向面に縦向きで配列されている。マイク部５４は、使用者の音声を電気信号に変換して取り込むものであり、回転軸３から最も離れた第２ケース２の端部（図４では下端部）に設けられている。
【００３５】
また、操作スイッチ８は、図２（Ａ）および図２（Ｂ）に示すように、回転軸３の近傍に位置する第２ケース２の上辺側の上側面に設けられ、半分押された第１状態のときに第１、第２ケース１、２を開閉動作させ、完全に押し込まれた第２状態のときに撮影部４のズーム機能部を動作させるスイッチ信号を出力するように構成されている。シャッタスイッチ９は、図２（Ａ）および図２（Ｂ）に示すように、回転軸３の近傍に位置する第２ケース２の上辺側の上側面に操作スイッチ８と並んで設けられ、押圧操作によって撮影部４で被写体の画像を取り込むスイッチ信号を出力するように構成されている。
【００３６】
回転軸３は、図２および図３に示すように、ほぼ円筒状に形成され、互いに重なり合った第１、第２ケース１、２の一端部側（図２（Ａ）では上端部側）に位置し、第１ケース１の内部から第２ケース２を貫通してその背面側（図２（Ａ）では左側）に露出した状態で、第１、第２ケース１、２に取り付けられている。すなわち、この回転軸３は、第１ケース１側に位置する一端部側（同図では右部側）が第１ケース１内に固定され、第２ケース２側に位置する他端部側（同図では左部側）が第２ケース２に回転可能に取り付けられ、これにより第１、第２ケース１、２が互いに面方向に相対的に回転するように構成されている。
【００３７】
従って、第１、第２ケース１、２は、図１〜図５に示すように、回転軸３を中心に互いに対向する第１、第２ケース１、２の各面方向に沿って相対的に回転することにより、図１〜図３に示すように互いに重なり合って閉じた状態になると共に、図４および図５に２点鎖線または実線で示すように、第１、第２ケース１、２が相対的に所定角度、例えば９０°または１８０°回転して互いに開いた状態になるように構成されている。なお、第１、第２ケース１、２は、回転軸３を介して接続部材（図示せず）によって電気的に接続されている。
【００３８】
撮影部４は、ズーム機能として望遠機能を有するものであり、その撮影方向を第２ケース２の背面側に向けた状態で回転軸３の内部に、その軸方向に沿ってズーム移動可能に設けられている。すなわち、この撮影部４は、図６〜図８に示すように、回転軸３内に同心円状態で固定された円筒状の鏡胴１１と、この鏡胴１１の内部にその軸方向に沿って移動可能に配置された第１、第２レンズ枠１２、１３と、この第１、第２レンズ枠１２、１３にそれぞれ取り付けられた第１、第２レンズ１４、１５と、鏡胴１１内に水晶フィルタ１６ａおよび保護ガラス１６ｂを介して配置されたＣＣＤなどの撮像素子１７と、第１、第２レンズ枠１２、１３を光軸である回転軸３の軸方向に沿って移動させるズーム機構部１８とを備えている。
【００３９】
この場合、撮像素子１７は、鏡胴１１の軸中心つまり回転軸３の軸中心である光軸上に配置され、第１、第２レンズ１４、１５で投影された被写体の画像を電気信号に変換して出力するように構成されている。また、鏡胴１１の外周面には、図６〜図８に示すように、その外面から内面に貫通するスリット状のガイド孔１１ａが回転軸３の軸方向に沿って設けられており、第１、第２レンズ枠１２、１３には、鏡胴１１のガイド孔１１ａに挿入されて鏡胴１１の外周面側に突出し、この状態でガイド孔１１ａに沿って移動する第１、第２突起部１２ａ、１３ａが設けられている。これにより、第１、第２レンズ枠１２、１３は、鏡胴１１内で回転することなく、回転軸３の軸方向に沿って第１、第２レンズ１４、１５と共に平行移動するように構成されている。
【００４０】
ズーム機構部１８は、図６〜図１０に示すように、回転軸３内における鏡胴１１の外周面に回転自在に設けられた回転筒１９と、この回転筒１９を回転させるためのズーム用のモータ２０とを備えている。回転筒１９は、図６に示すように、回転軸３内において鏡胴１１の外周面の所定位置にその軸方向に移動することなく回転可能に取り付けられており、この回転筒１９の内周面には、図７および図８に示すように、第１、第２螺旋溝１９ａ、１９ｂが軸方向に沿って螺旋状に設けられている。
【００４１】
この第１螺旋溝１９ａ内には、図７に示すように、第１レンズ枠１２の第１突起部１２ａが鏡胴１１のガイド孔１１ａを通して挿入されており、第２螺旋溝１９ｂ内には、第２レンズ枠１３の第２突起部１３ａが鏡胴１１のガイド孔１１ａを通して挿入されている。また、この回転筒１９の外周面には、従動歯車２１が設けられている。モータ２０は、図９および図１０に示すように、回転軸３の近傍に位置する第１ケース１内に固定され、その出力軸に駆動歯車２２が設けられ、これによりモータ２０の駆動回転が駆動歯車２２および後述する回転伝達部２３を介して従動歯車２１に伝達されるように構成されている。
【００４２】
従って、このズーム機構部１８は、モータ２０が駆動回転し、その回転が駆動歯車２２、回転伝達部２３、および従動歯車２１を介して回転筒１９に伝達されると、図６〜図８に示すように回転筒１９が回転し、この回転に伴って回転筒１９の第１、第２螺旋溝１９ａ、１９ｂが回転移動する。このときに、第１、第２螺旋溝１９ａ、１９ｂと鏡胴１１のガイド孔１１ａとが交差する個所において、回転筒１９の第１、第２螺旋溝１９ａ、１９ｂが第１、第２レンズ枠１３、１３の第１、第２突起部１２ａ、１３ａを鏡胴１１のガイド孔１１ａに沿って移動させるので、第１、第２レンズ枠１３、１３が第１、第２レンズ１４、１５と共に回転軸３の軸方向に移動する。
【００４３】
この場合、ズーム機構部１８は、モータ２０が正回転して回転筒１９が図７に示す矢印Ｘ方向に回転すると、図８に示すように、第１螺旋溝１９ａが第１レンズ枠１２を撮像素子１７から離れる方向、つまり回転軸３から外部（図７では上方）に向けて移動させると共に、第２螺旋溝１９ｂが第２レンズ枠１３を回転軸３から外部に向けて移動させながら第１レンズ枠１２に接近させ、これにより望遠状態になるように構成されている。また、このズーム機構部１８は、モータ２０が逆回転して回転筒１９が矢印Ｘ方向と反対方向に回転すると、図６および図７に示すように、第１、第２レンズ枠１３、１３が撮像素子１７に接近する方向、つまり回転軸３の内部（図７では下方）に向けて移動し、第１、第２レンズ１４、１５を回転軸３の内部に格納するように構成されている。
【００４４】
一方、回転伝達部２３は、図９および図１０に示すように、モータ２０の駆動回転を撮影部４のズーム機構部１８に伝達する第１伝達車２４と、モータ２０の駆動回転を第２ケース２に設けられたリング歯車２６に伝達する第２伝達車２５と、モータ２０の駆動回転を撮影部４のズーム機構部１８と第２ケース２のリング歯車２６とのいずれか一方に伝達するための切替レバー２７とを備えている。この場合、第２ケース２のリング歯車２６は、図９および図１０に示すように、その内周面に内歯が設けられ、この状態で第２ケース２の下面に回転軸３を中心として設けられ、第１ケース１に設けられた円形状の開口部２８から第１ケース１内に挿入され、この状態で第２ケース２と共に回転軸３を中心として回転するように構成されている。
【００４５】
第１伝達車２４は、図１０に示すように、モータ２０の出力軸に設けられた駆動歯車２２に噛み合って回転する第１中間歯車３０と、この第１中間歯車３０が取り付けられて第１ケース１に回転自在に軸支された第１回転軸３１と、この第１回転軸３１に第１スリップ機構部３２を介して取り付けられ且つズーム機構部１８の従動歯車２１に噛み合って回転する第１伝達歯車３３とからなっている。この場合、第１伝達歯車３３は、所定以上の負荷が加わらない通常状態のときに、第１スリップ機構部３２がスリップせずに、第１回転軸３１の第１中間歯車３０と共に回転し、これによりモータ２０の駆動回転をズーム機構部１８の従動歯車２１に伝達してズーム機構部１８の回転筒１９を回転させ、また第１伝達歯車３３に所定以上の負荷が加わると、第１スリップ機構部３２がスリップし、これにより第１回転軸３１の第１中間歯車３０が空転し、モータ２０の駆動回転をズーム機構部１８の回転筒１９に伝達しないように構成されている。
【００４６】
第２伝達車２５は、図１０に示すように、モータ２０の出力軸に設けられた駆動歯車２２に噛み合って回転する第２中間歯車３５と、この第２中間歯車３５が取り付けられて第１ケース１に回転自在に軸支された第２回転軸３６と、この第２回転軸３６に第２スリップ機構部３７を介して取り付けられ且つ第２ケース２のリング歯車２６に噛み合って回転する第２伝達歯車３８とからなっている。この場合にも、第２伝達歯車３８は、所定以上の負荷が加わらない通常状態のときに、第２スリップ機構部３７がスリップせずに、第２回転軸３６の第２中間歯車３５と共に回転し、これによりモータ２０の駆動回転を第１ケース１のリング歯車２６に伝達して第２ケース２を第１ケース１に対し相対的に回転させ、また第２伝達歯車３８に所定以上の負荷が加わると、第２スリップ機構部３７がスリップし、これにより第２回転軸３６の第２中間歯車３５が空転し、モータ２０の駆動回転を第２ケース２のリング歯車２６に伝達しないように構成されている。
【００４７】
切替レバー２７は、第２ケース２に設けられた操作スイッチ８の操作に応じて、第１、第２伝達歯車３３、３８のいずれか一方を係脱可能に係止して所定以上の負荷を付与し、これによりモータ２０の駆動回転を第１、第２伝達歯車３３、３８のいずれか一方に伝達させるように構成されている。すなわち、この切替レバー２７は、図９および図１０に示すように、第１、第２伝達歯車３３、３８の近傍に配置され、操作スイッチ８が半分押された第１状態のときに、第１伝達歯車３３を係止し、モータ２０の駆動回転を第２伝達歯車３８に伝達させて、リング歯車２６と共に第２ケース２を第１ケース１に対し相対的に回転させ、また操作スイッチ８が完全に押し込まれた第２状態のときに、第１伝達歯車３３に対する係止を解除して第２伝達歯車３８を係止し、モータ２０の駆動回転を第１伝達歯車３３に伝達させて、ズーム機構部１８の回転筒１９を回転させるように構成されている。
【００４８】
ところで、回転軸３の近傍における第１、第２ケース１、２の対向面には、図２および図３に示すように、第１、第２ケース１、２の相対的な回転角度を検出する光センサ部３９が設けられている。この光センサ部３９は、第１ケース１に設けられた発光素子４０と、第２ケース２に設けられた複数の受光素子４１ａ〜４１ｃとからなっている。この場合、複数の受光素子４１ａ〜４１ｃは、発光素子４０の回転移動軌跡に対応する所定個所に設けられている。例えば、第１の受光素子４１ａは、第１、第２ケース１、２が互いに重なり合ったときに発光素子４０が対応する第１の位置に設けられ、第２の受光素子４１ｂは、第１、第２ケース１、２が相対的に約９０°回転したときに発光素子４０が対応する第２の位置に設けられ、第３の受光素子４１ｃは、第１、第２ケース１、２が相対的に約１８０°回転したときに発光素子４０が対応する第３の位置に設けられている。
【００４９】
これにより、光センサ部３９は、図１〜図３に示すように、第１、第２ケース１、２が互いに重なり合って閉じたときに、発光素子４０が第１の受光素子４１ａに対向して発光素子４０で発光した光を第１の受光素子４１ａで受光することにより、第１、第２ケース１、２が重なり合った状態であることを検知する。また、図４に２点鎖線で示すように、第１、第２ケース１、２が相対的に約９０°回転したときに発光素子４０が第２の受光素子４１ｂに対向して発光素子４０で発光した光を第２の受光素子４１ｂで受光することにより、第１、第２ケース１、２が約９０°開いた状態であることを検出する。さらに、図４に実線で示すように、第１、第２ケース１、２が相対的に約１８０°回転したときに発光素子４０が第３の受光素子４１ｃに対向して発光素子４０で発光した光を第３の受光素子４１ｃで受光することにより、第１、第２ケース１、２が約１８０°開いた状態であることを検知する。
【００５０】
次に、この携帯電話機の回路構成について、図１１を参照して説明する。
この携帯電話機の回路は、その回路全般を制御するＣＰＵ（中央演算処理装置）４５と、ＣＣＤなどの撮像素子１７からの画像信号を処理する画像処理回路４６と、撮影部４のズーム機構部１８を動作させると共に第１、第２ケース１、２を相対的に回転させるためのズーム用のモータ２０の駆動を制御するモータ駆動回路４７と、光センサ部３９を駆動してその受光素子４１ａ〜４１ｃからの検知信号を処理する検知回路４８と、操作スイッチ８およびシャッタスイッチ９のスイッチ操作に応じた電気信号を処理するスイッチ回路４９と、電話情報や撮影画像などの情報を表示する表示部５の駆動を制御する表示駆動回路５０と、操作部６およびキー入力部７からの入力信号を処理する入力処理回路５１と、通話情報や画像情報などの送信情報を処理してアンテナ１０に送ると共にアンテナ１０で受信した受信信号を処理する送受信回路５２とを備えている。
【００５１】
次に、この携帯電話機の表示切替制御処理およびズーム処理の動作フローについて、図１２および図１３を参照して説明する。
この携帯電話機の表示切替制御処理は、図１２に示すように、この処理フローがスタートすると、操作スイッチ８が操作されて半分押された第１状態であるかを判断する（ステップＳ１）。このとき、操作スイッチ８が操作されていなければ、操作スイッチ８が操作されるまで待機する。また、このステップＳ１で操作スイッチ８が操作されて半分押された第１状態になると、これに連動して回転伝達部２３の切替レバー２７が第１伝達歯車３３を係止して空回状態にすると共に、モータ２０の駆動回転を第２伝達車２５を介して第２ケース２のリング歯車２６に伝達可能な状態にし、この状態でモータ２０を駆動回転させて第２ケース２を第１ケース１に対し相対的に回転させる。
【００５２】
そして、第１、第２ケース１、２の相対的な回転角度が９０°以下であるかを判断する（ステップＳ２）。このときには、光センサ部３９の発光素子４０が複数の受光素子４１ａ〜４１ｃのいずれに対応して、受光素子４１ａ〜４１ｃのいずれが検知信号を出力したかにより、第１、第２ケース１、２の相対的な回転角度を判断する。すなわち、発光素子４０が第１の受光素子４１ａに対応し、その受光素子４１ａから検知信号が出力されたとき、または発光素子４０が第２の受光素子４１ｂに対応し、その受光素子４１ｂから検知信号が出力されたときには、第１、第２ケース１、２の相対的な回転角度が９０°以下と判断し、表示部５の表示状態を横長状態（図４に示す実線の表示部５を参照のこと）に切り替え（ステップＳ３）、このフローを終了する。また、光センサ部３９の発光素子４０が第３の受光素子４１ｃに対応し、その受光素子４１ｃから検知信号が出力されると、第１、第２ケース１、２の相対的な回転角度が１８０°と判断し、表示部５の表示状態を縦長状態に切り替え（ステップＳ４）、このフローを終了する。
【００５３】
また、この携帯電話機のズーム制御処理は、図１３に示すように、この処理フローがスタートすると、操作スイッチ８が操作されて完全に押し込まれた第２状態であるかを判断する（ステップＳ５）。このとき、操作スイッチ８が完全に押し込まれた第２状態でなければ、このフローを終了する。また、操作スイッチ８が完全に押し込まれた第２状態になると、これに連動して回転伝達部２３の切替レバー２７が第２伝達歯車３８を係止して空回状態にすると共に、モータ２０の駆動回転を第１伝達車２４によってズーム機構部１８の回転筒１９に伝達可能な状態にする。この状態で、モータ２０を駆動回転させて撮影部４のズーム機構部１８をズーム制御する（ステップＳ６）。
【００５４】
このときには、図６および図７に示すように、撮影部４のズーム機構部１８のモータ２０を正回転させ、このモータ２０の回転が駆動歯車２２、回転伝達部２３の第１伝達車２４、および従動歯車２１を介して回転筒１９に伝達されると、図６に示す状態の回転筒１９が図７に示す矢印Ｘ方向に回転する。これにより、回転筒１９の第１、第２螺旋溝１９ａ、１９ｂが回転移動して第１、第２レンズ枠１２、１３の第１、第２突起部１２ａ、１３ａを鏡胴１１のガイド孔１１ａに沿って撮像素子１７と反対側に向けて移動させるので、第１、第２レンズ枠１２、１３が第１、第２レンズ１４、１５と共に回転軸３の外部に向けて移動し、被写体を拡大して撮影するために第１レンズ１４を回転軸３の外部に突出させて望遠状態にし、このフローを終了する。
【００５５】
次に、このような携帯電話機を使用する場合について説明する。この携帯電話機では、電話機能と撮影機能とを備えているので、電話機能によって通信をすることができると共に、撮影機能によって被写体を撮影することができ、この撮影した被写体の画像を表示部５に表示させて見ることができる。すなわち、電話機能で通信する場合には、図４および図５に実線で示すように、回転軸３を中心に第１、第２ケース１、２をその各面方向に沿って相対的にほぼ１８０°回転させて、第１、第２ケース１、２を互いに開く。
【００５６】
これにより、図４に実線で示すように、第２ケース２のキー入力部７が第１ケース１の表示部５の表示面と同じ向きで露出する。この状態で、操作部６およびキー入力部７を入力操作して通信相手に電子メールを送信したり、通信相手と通話したり、あるいは後述するように撮影した被写体の画像を送信したりすることができる。このときには、撮影部４が回転軸３から外部に突出することなく回転軸３内に格納されているので、通信時に撮影部４が傷付いたり邪魔になったりせず、良好に使用することができる。
【００５７】
また、撮影部４で被写体を撮影する場合には、図１〜図３に示すように、第１、第２ケース１、２を互いに重ね合わせて閉じ、この状態で第１、第２ケース１、２を横向きにしてその両側から両手で挟むように掴む。このときには、第１ケース１の表示部５を使用者側に向けると、回転軸３内に設けられた撮影部４が被写体側に向く。この状態で、回転軸３の近傍に位置する第２ケース２の側面に設けられた操作スイッチ８を完全に押し込んだ第２状態にすると、ズーム機構部１８のモータ２０が駆動回転して、第１、第２レンズ１４、１５を回転軸３から外部に向けて移動させるので、撮影部４が望遠状態になる。
【００５８】
すなわち、操作スイッチ８が完全に押し込まれると、この操作スイッチ８に連動して、図９および図１０に示すように、回転伝達部２３の切替レバー２７が第２伝達歯車３８を係止して空回状態にすると共に、モータ２０の駆動回転が第１伝達車２４によってズーム機構部１８の回転筒１９に伝達可能な状態になる。そして、図６および図７の状態（図２（Ａ）参照）で、ズーム機構部１８のモータ２０が正回転し、このモータ２０の正回転が駆動歯車２２、回転伝達部２３の第１伝達車２４、および従動歯車２１を介して回転筒１９に伝達され、回転筒１９が図７に示す矢印Ｘ方向に回転する。
【００５９】
これにより、回転筒１９の第１、第２螺旋溝１９ａ、１９ｂが回転移動し、図８に示すように、第１、第２螺旋溝１９ａ、１９ｂが第１、第２レンズ枠１２、１３の第１、第２突起部１２ａ、１３ａをそれぞれ鏡胴１１のガイド孔１１ａに沿って移動させるので、第１、第２レンズ枠１２、１３が第１、第２レンズ１４、１５と共に回転軸３の外部に向けて移動し（図２（Ｂ）参照）、撮影部４が望遠状態になる。このときには、第１、第２レンズ１４、１５によって撮像素子１７に投影された被写体の画像が撮像素子１７で電気信号に変換されて画像信号として取り込まれ、この取り込まれた画像信号に基づいて表示部５に被写体の画像が表示されるので、この表示された画像を見ながらシャッタスイッチ９を操作することにより、被写体を撮影することができる。
【００６０】
また、この携帯電話機では、必ずしも第１、第２ケース１、２を互いに重ね合わせて閉じた状態で撮影する必要はなく、第１、第２ケース１、２を相対的に面方向に回転させて開いた状態、例えば図４および図５に２点鎖線または実線で示すように、第１、第２ケース１、２を相対的に９０°または１８０°回転させて開いた状態でも撮影することができる。このときには、第２ケース２の背面側に左手の掌を当てがって第２ケース２を左手で掴むと、左手の親指が操作スイッチ８およびシャッタスイッチ９に接触する位置に配置されるので、片手で第２ケース２を持った状態で容易に操作スイッチ８およびシャッタスイッチ８を操作することができる。
【００６１】
このため、この状態で操作スイッチ８を半分押した第１状態にすると、回転伝達部２３の切替レバー２７が第１伝達歯車３３を係止して、モータ２０の駆動回転を第２伝達車２５を介して第２ケース２のリング歯車２６に伝達するので、図４および図５に示すように第１、第２ケース１、２が相対的に回転して開く。この状態で、操作スイッチ８を完全に押し込んだ第２状態にすると、ズーム機構部１８のモータ２０が駆動されて撮影部４を望遠状態にする。この後、シャッタスイッチ９を押すことにより被写体を撮影することができる。このときにも、被写体の画像を表示部５に表示させ、この表示された画像を見ながら被写体を撮影することができる。
【００６２】
このように、この携帯電話機によれば、表示部５を有する第１ケース１とキー入力部７を有する第２ケース２とを回転軸３によって開閉可能に連結し、この回転軸３内にズーム機構部１８を有する撮影部４を、表示部５の表示面と反対側にその撮影方向が向くように設けているので、撮影するときに、第１、第２ケース１、２を回転軸３を中心に回動させて開いた状態でも、また閉じた状態でも、撮影部４による被写体のの撮影方向を表示部５の表示面と反対方向に向けることができる。このため、表示部５に表示された被写体の画像を見ながら被写体を撮影することができると共に、ズーム機構部１８をモータ２０の駆動回転によって回転軸３の軸方向にズーム移動させるので、表示部５に表示された被写体の画像を見ながら被写体の撮影範囲をも調節することができ、これにより撮影操作が簡単で容易にできる。
【００６３】
この場合、撮影部４を内蔵した回転軸３を介して第１、第２ケース１、２を開閉可能に連結しただけの構造であるから、構造が簡単で安価なものを得ることができるほか、操作スイッチ８の操作に応答して回転伝達部２３がモータ２０の駆動回転を第２ケース２に伝達して回転軸３を中心に第１、第２ケース１、２を相対的に回転させるので、第１、第２ケース１、２をワンタッチ操作で簡単に且つ自動的に開閉させることができる。しかも、ズーム機構部１８の駆動源を利用しているので、第１、第２ケース１、２を相対的に回転させるための専用駆動源が不要となり、これにより駆動源の数を最小限に抑えることができるので、低コスト化をも図ることができる。
【００６４】
特に、撮影部４を第１、第２ケース１、２の回転中心である回転軸３内にその軸方向に沿ってズーム移動可能に設けたので、撮影部４がズーム機能部１８を備えていても、第１ケース１の表示部５および第２ケース２のキー入力部７が撮影部４のズーム機能部１８によって制約を受けることがなく、表示部５およびキー入力部７の各設置領域を第１、第２ケース１、２にそれぞれ十分に確保することができる。この場合、回転軸３の一端部が第１ケース１の正面側に露出することなく、第１ケース１内に設けられているので、この回転軸３に対応する個所の第１ケース１の正面に操作部６を配置することができ、これによりキー入力部７の設置領域を、より一層、広くすることができる。
【００６５】
また、この携帯電話機では、第１、第２ケース１、２を互いに重ね合わせて閉じた状態で外部に露出する第１ケース１の外表面に表示部５を設けているので、回転軸３を中心に第１、第２ケース１、２をその面方向に回転させて互いに重ね合わせて閉じた状態でも、また回転軸３を中心に第１、第２ケース１、２をその面方向に回転させて互いに開いた状態でも、表示部５の表示面を常に外部に露出させることができ、これにより表示部５に表示された情報をいつでも自由に見ることができる。特に、撮影部４はその撮影方向を表示部５の表示面と反対側に向けて回転軸３内に設けられているので、第１、第２ケース１、２を互いに重ね合わせて閉じた状態でも、また第１、第２ケース１、２を面方向に互いに開いた状態でも、撮影時に表示部５に表示された被写体の画像を見ながら良好に撮影することができ、これにより使い勝手の良いものを得ることができる。
【００６６】
この場合、キー入力部７が表示部５の表示面と同じ方向を向いて第２ケース２に設けられていることにより、第１、第２ケース１、２を互いに面方向に回転させて開いた状態のときに、キー入力部７が表示部５の表示面と同じ向きに露出するので、表示部５を見ながらキー入力部７をキー操作することができる。また、第１、第２ケース１、２を互いに重ね合わせて閉じると、キー入力部７の表面に第１ケース１が重なって配置されるので、この第１ケース１によってキー入力部７を保護することができ、このため第１、第２ケース１、２を互いに重ね合わせて閉じた状態で携帯するときに、キー入力部７の誤動作を防ぐことができる。
【００６７】
さらに、操作スイッチ８およびシャッタスイッチ９が第２ケース２の側面に設けられているので、操作スイッチ８およびシャッタスイッチ９が表示部５やキー入力部７を制約することがなく、これによっても表示部５およびキー入力部７の設置領域を十分に確保することができるほか、特に操作スイッチ８およびシャッタスイッチ９が常に外部に露出するので、第１、第２ケース１、２を重ね合わせて閉じた状態でも、また第１、第２ケース１、２を相対的に面方向に回転させて開いた状態でも、操作スイッチ８およびシャッタスイッチ９を操作することができるので、いつでも自由に操作スイッチ８およびシャッタスイッチ９を操作することができ、これによっても使い勝手が良い。
【００６８】
この場合、操作スイッチ８およびシャッタスイッチ９は、回転軸３の近傍に位置する第２ケース２の側面に設けられていることにより、図１に示すように第１、第２ケース１、２を重ね合わせて閉じた状態で、これらを両手で持っても、また図４に示すように第１、第２ケース１、２を相対的に面方向に回転させて開いた状態で、第２ケース２をその背面側から片手で持っても、その手の指を操作スイッチ８およびシャッタスイッチ９に自然な状態で接触させることができ、このため撮影時に操作スイッチ８およびシャッタスイッチ９を容易に且つ確実に操作することができる。
【００６９】
また、操作スイッチ８は、半分押された第１状態のときに、回転伝達部２３の切替レバー２７が第１伝達歯車３３を係止して空回状態にすると共に、モータ２０の駆動回転を第２伝達車２５によって第２ケース２のリング歯車２６に伝達させて第１、第２ケース１、２を相対的に回転させることができ、また完全に押し込まれた第２状態のときに、切替レバー２７が第２伝達歯車３８を係止して空回状態にすると共に、モータ２０の駆動回転を第１伝達車２４によって撮影部４のズーム機構部１８に伝達してズーム機構部１８をズーム動作させ、これにより撮影部４を望遠状態にし、被写体の撮影範囲を調節して被写体のアングルを設定することができる。
【００７０】
このため、一つの操作スイッチ８で第１、第２ケース１、２の開閉動作とズーム機構部１８のズーム動作とを選択することができ、これによりワンタッチ操作で第１、第２ケース１、２を開閉させたり、ズーム機構部１８をズーム動作させたりすることができると共に、スイッチの個数を最小限にすることができ、これによっても部品点数の削減および低コスト化を図ることができる。
【００７１】
さらに、この携帯電話機では、回転軸３を中心に第１、第２ケース１、２を回転させて互いに重ね合わせて閉じた状態、および第１、第２ケース１、２を相対的に９０°回転させて開いた状態のときに、第１ケース１の表示部５が横長表示に切り替わり、回転軸３を中心に第１、第２ケース１、２を相対的に１８０°回転させて開いた状態のときに、第１ケース１の表示部５が縦長表示に切り替わるので、第１、第２ケース１、２を互いに重ね合わせた状態、および第１、第２ケース１、２を相対的に９０°回転させて開いた状態で撮影するときに、被写体の画像を横長状態で見ることができ、また第１、第２ケース１、２を相対的に１８０°回転させて開いた状態で撮影するときに、被写体の画像を縦長状態で見ることができる。
【００７２】
これにより、第１、第２ケース１、２の開き角度に応じて表示部５の表示形態が自動的に縦向表示または横向表示に切り替わるので、撮影時に第１、第２ケース１、２の開き角度が変化しても、表示部５に表示される画像などの情報を見やすくすることができる。この場合、特に操作スイッチ８が半分押された第１状態のときには、撮影部４のズーム機構部１８をズーム移動させるモータ２０の駆動回転を回転伝達部２３によって第２ケース２のリング歯車２６に伝達させるのと同時に、第１、第２ケース１、２の相対的な回転角度を光センサ部３９で検出し、その検出信号に基づいて表示部５の表示形態をＣＰＵ４５で制御するので、ワンタッチ操作で第１、第２ケース１、２を簡単に開閉させることができると共に、第１、第２ケース１、２の開き角度に応じて表示部５の表示形態を自動的に縦向表示または横向表示に切り替えることができ、これによっても使い勝手の良いものを得ることができる。
【００７３】
（実施形態２）
次に、図１４および図１５を参照して、この発明を携帯電話機に適用した実施形態２について説明する。なお、図１〜図１３に示された実施形態１と同一部分には同一符号を付して説明する。
この携帯電話機は、撮影部５５が望遠機能と広角機能との両方の機能を有する構造で、これ以外は実施形態１とほぼ同じ構造になっている。すなわち、この撮影部５５は、第１レンズ１４を保持する第１レンズ枠１２と、第２レンズ１５を保持する第２レンズ枠１３とをそれぞれ軸方向に沿って移動させるズーム機構部５６が実施形態１のズーム機構部１８と異なる構造になっている。
【００７４】
このズーム機構部５６は、鏡胴１１の外周面に回転可能に設けられた回転筒１９の内周面に、第１レンズ枠１２の第１突起部１２ａを移動させる第１螺旋溝５７と、第２レンズ枠１３の第２突起部１３ａを移動させる第２螺旋溝５８とを設けた構造になっている。この場合、第１螺旋溝５７は、モータ２０の正回転によって回転筒１９が図１４に示す矢印Ｘ方向に回転したときに、図１５に示すように第１レンズ枠１２を回転軸３から外部（同図では上方）に向けて移動させるように構成されている。また、第２螺旋溝５８は、モータ２０の正回転によって回転筒１９が図１４に示す矢印Ｘ方向に回転したときに、図１５に示すように第２レンズ枠１３を回転軸３から外部（同図では上方）に向けて移動させながら、第１レンズ枠１２に接近させた後、第２レンズ枠１３が第１レンズ枠１２から次第に離れるように構成されている。
【００７５】
これにより、このズーム機構部５６は、第１、第２レンズ枠１２、１３が回転軸３から外部（図１４では上方）に向けて移動しながら、第２レンズ枠１３が第１レンズ枠１２に接近することにより、望遠状態となり、また第１、第２レンズ枠１２、１３が回転軸３から外部（同図では上方）に向けて移動しながら、第２レンズ枠１３が第１レンズ枠１２から回転軸３内の撮像素子１７側に向けて離れることにより、広角状態になるように構成されている。なお、この実施形態２では、シャッタスイッチ９（図１参照）の近傍に、ズーム機能の切替スイッチ（図示せず）を設け、この切替スイッチによって望遠機能と広角機能とを切り替えるように構成されている。
【００７６】
このような携帯電話機では、実施形態１と同様の作用効果があるほか、特に切替スイッチ（図示せず）を操作して望遠機能を選択したときには、ズーム機構部５６のモータ２０が正回転して回転筒１９を回転させると、この回転筒１９の第１、第２螺旋溝５７、５８が第１、第２レンズ枠１２、１３を回転軸３の外部に向けて移動させながら、第２レンズ枠１３を第１レンズ枠１２に接近させるので、望遠状態となり、これにより望遠撮影ができる。また、切替スイッチを操作して広角機能を選択したときには、ズーム機構部５６のモータ２０が正回転して回転筒１９を回転させると、この回転筒１９の第１、第２螺旋溝５７、５８が第１、第２レンズ枠１２、１３を回転軸３の外部に向けて移動させながら、第２レンズ枠１３を第１レンズ枠１２に一旦接近させた後に第１レンズ枠１２から撮像素子１７側に向けて離すので、広角状態となり、これにより広角撮影ができる。
【００７７】
（実施形態３）
次に、図１６〜図２４を参照して、この発明を携帯電話機に適用した実施形態３について説明する。この場合にも、図１〜図１３に示された実施形態１と同一部分に同一符号を付して説明する。
この携帯電話機は、実施形態１と同様、電話機能と撮影機能とを有するものであり、互いに重なり合う第１ケース１と第２ケース２とを備え、これら第１、第２ケース１、２を円筒状の回転軸３によって互いに対向する第１、第２ケース１、２の各面方向に沿って回転可能に取り付けると共に、この回転軸３内にズーム機能を有する撮影部６０を設け、この撮影部６０の近傍に第１、第２ストロボ部６１、６２を設けた構成になっている。
【００７８】
第１ケース１は、実施形態１と同様、ほぼ長方形状に形成され、第２ケース２と重なり合った状態で外部に露出する外表面である正面に表示部５、操作部６、およびスピーカ部５３を設けた構成になっている（図１、図４参照）。この場合にも、表示部５は、液晶表示素子やＥＬ表示素子（エレクトロルミネッセンス表示素子）などの平面型に表示素子からなり、電話機能における電話データおよび撮影部６０で撮影した画像のデータなどの情報を電気光学的に表示するように構成されている。また、操作部６は、図４に示したように、電話機能や撮影機能の各種のモードを切り替えるためのジォグダイヤル、電源釦、通話釦などの各種の釦を備え、回転軸３に対応する個所に設けられている。
【００７９】
第２ケース２は、第１ケース１とほぼ同じサイズの大きさに形成されている。この第２ケース２における第１ケース１が重なり合う対向面には、実施形態１と同様、キー入力部７およびマイク部５４が設けられている（図４参照）。また、図１６に示す第２ケース２における上辺側の側面には、実施形態１と同様、シャッタスイッチ９が設けられており、この第２ケース２における回転軸３側に位置する側面には、アンテナ１０が出没可能に設けられている。この場合にも、キー入力部７は、テンキー、メモキー、マナーキーなどの電話機能に必要な各種のキーを備え、第２ケース２の縦長状態において、各キーが第１ケース１に対向する第２ケース２の対向面に縦向きで配列されている。
【００８０】
シャッタスイッチ９は、図１６に示すように、回転軸３の近傍に位置する第２ケース２の上辺側の側面に設けられ、半分押された第１状態のときに、撮影部６０のズーム機能部を動作させて被写体に対する焦点距離、および第１、第２ストロボ部６１、６２による光の放射方向を調節するためのスイッチ信号を出力し、完全に押し込まれた第２状態のときに第１、第２ストロボ部６１、６２を発光させて撮影部６０で被写体の画像を取り込むためのスイッチ信号を出力するように構成されている。
【００８１】
回転軸３は、図１７に示すように、ほぼ円筒状に形成され、互いに重なり合った第１、第２ケース１、２の一端部側（図１６では左端部側）に位置し、第１ケース１の内部から第２ケース２を貫通してその背面側（図１７では左側）に露出した状態で、第１、第２ケース１、２に設けられている。すなわち、この回転軸３は、第１ケース１側に位置する一端部側（図１７では右部側）が第１ケース１内に固定され、第２ケース２側に位置する他端部側（同図では左部側）が第２ケース２に回転可能に取り付けられ、これにより第１、第２ケース１、２が互いに対向する面方向に沿って相対的に回転するように構成されている。
【００８２】
このため、第１、第２ケース１、２は、実施形態１と同様、回転軸３を中心に互いに対向する第１、第２ケース１、２の各対向面に沿って相対的に回転することにより、図２（Ａ）に示したように、互いに重なり合って閉じた状態になると共に、図４に２点鎖線または実線で示したように第１、第２ケース１、２が相対的に所定角度、例えば９０°または１８０°回転して互いに開いた状態になるように構成されている。なお、第１、第２ケース１、２は、回転軸３を介して接続部材（図示せず）によって電気的に接続されている。
【００８３】
撮影部６０は、自動焦点機能（オートフォ−カス機能）およびズーム機能部を有し、図１７に示すように、その撮影方向を第２ケース２の背面側に向けた状態、つまり第１ケース１の表示部５の表示面と反対方向に向けた状態で、回転軸３の内部にその軸方向に沿ってズーム移動可能に設けられている。この撮影部６０は、図１７に示すように、回転軸３内にその軸方向に沿って移動可能に配置された第１〜第３レンズ枠６３〜６５と、この第１〜第３レンズ枠６３〜６５にそれぞれ取り付けられた第１〜第３レンズ６６〜６８と、回転軸３内に固定された撮像ユニット６９と、第１〜第３レンズ枠６３〜６５を光軸４ａである回転軸３の軸方向に沿ってズーム移動させるズーム機構部７０とを備えている。
【００８４】
この場合、撮影部６０は、第１〜第３レンズ枠６３〜６５が回転軸３内にその軸方向に沿って移動し、第１レンズ枠６３が第２ケース２の背面側に向けて出没するように構成されている。撮像ユニット６９は、図１７に示すように、回転軸３内に固定されたハウジング７１を備え、このハウジング７１内に水晶フィルタ７２および保護ガラス７３を介してＣＣＤなどの撮像素子７４を配置した構成になっている。撮像素子７４は、回転軸３の軸中心である光軸４ａ上に配置され、第１〜第３レンズ６６〜６８で投影された被写体の画像を電気信号に変換して出力するように構成されている。第１、第２レンズ６６、６７はズーム機能用のレンズであり、第３レンズ６８は焦点距離を合わせるためのレンズである。
【００８５】
また、第１〜第３レンズ枠６３〜６５は、図１７〜図１９に示すように、それぞれ円筒状に形成されており、第１レンズ枠６３が第２レンズ枠６４内に移動可能に収納され、第２レンズ枠６４が第３レンズ枠６５内に移動可能に収納され、第３レンズ枠６５が回転軸３内に移動可能に収納されている。この場合、第２、第３レンズ枠６４、６５の各周面には、第１、第２レンズ枠６３、６４を軸方向に沿ってガイドするスリット状のガイド孔７５、７６が軸方向に沿って設けられている。また、第１レンズ枠６３の外周面には、第２レンズ枠６４のガイド孔７５に挿入して第３レンズ枠６５のガイド孔７６に挿入するガイド突起が設けられており、第２レンズ枠６４の外周面には、第３レンズ枠６５のガイド孔７６に挿入するガイド突起が設けられている。
【００８６】
ズーム機構部７０は、図１７〜図１９に示すように、撮影部６０に設けられて被写体との距離を測定する距離測定部９３（図２２参照）の測定結果に基づいて、第１〜第３レンズ枠６３〜６５を磁力によって移動させるための円筒状の電磁コイル部７７を備えている。この電磁コイル部７７は、多数のコイル部７７ａ〜７７ｊを円筒状に配列形成して、回転軸３の内周面に設けられた凹部３ｂ内に同心円状に配置され、この状態で各コイル部７７ａ〜７７ｊに選択的に電流を流すことにより、各コイル部７７ａ〜７７ｊがそれぞれ独立して磁界を発生するように構成されている。また、第１、第２レンズ枠６３、６４の各ガイド突起の先端部、および第３レンズ枠６５の外周面には、それぞれ第１〜第３の永久磁石７８〜８０が電磁コイル部７７の内周面に接近した状態で設けられている。この場合、第１〜第３の永久磁石７８〜８０は、電磁コイル部７７の各コイル部７７ａ〜７７ｊのいずれかに対応するように構成されている。
【００８７】
このズーム機構部７０は、距離測定部９３で測定した被写体までの距離に応じて電磁コイル部７７を駆動することにより、第１〜第３レンズ枠６３〜６５を第１〜第３レンズ６６〜６８と共に回転軸３の中心軸である光軸４ａに沿って移動させるように構成されている。すなわち、このズーム機構部７０は、距離測定部９３による測定結果に基づいて、電磁コイル部７７を駆動すると、各コイル部７７ａ〜７７ｊに選択的に電流が流れて磁界を発生し、この発生した磁界に応じて第１〜第３の永久磁石７８〜８０がそれぞれ引き付けられ、この状態で電流が流れるコイル部７７ａ〜７７ｊを順次変えると、これに応じて第１〜第３の永久磁石７８〜８０がそれぞれ回転軸３の軸方向に沿って移動するように構成されている。
【００８８】
例えば、第１レンズ６６を初期位置（電磁コイル部７７内に収納された図１８の状態）からズーム移動（電磁コイル部７７の外部（図１８では左側）に向けて移動）させる場合には、図１８に示す初期位置において第１レンズ枠６３の第１の永久磁石７８が対応する電磁コイル部７７のコイル部７７ｄに電流を流して磁界を発生させた後、これに隣接する外側（図１８では左側）のコイル部７７ｃに電流を流して磁界を発生させると、第１の永久磁石７８がコイル部７７ｃに引き寄せられ、この後、更にこれに隣接する外側（同図の左側）のコイル部７７ｂに電流を流して磁界を発生させると、第１の永久磁石７８がコイル部７７ｂに引き寄せられる。このように、この第１レンズ６６は、図１８および図１９に示すように、第１レンズ枠６３の第１の永久磁石７８が初期位置である電磁コイル部７７のコイル部７７ｄの位置から最外部のコイル部７７ａの位置までの間で移動する。
【００８９】
また、第２レンズ６７を初期位置（電磁コイル部７７内に収納された図１８の状態）からズーム移動（電磁コイル部７７の外部に向けて移動）させる場合には、図１８に示す初期位置において第２レンズ枠６４の第２の永久磁石７９が対応する電磁コイル部７７のコイル部７７ｇに電流を流して磁界を発生させた後、これに隣接する外側（図１８では左側）のコイル部７７ｆに電流を流して磁界を発生させると、第２の永久磁石７９がコイル部７７ｆに引き寄せられ、この後、更にこれに隣接する外側（同図の左側）のコイル部７７ｅに電流を流して磁界を発生させると、第２の永久磁石７９がコイル部７７ｅに引き寄せられる。このように、この第２レンズ６７は、図１８および図１９に示すように、第２レンズ枠６４の第２の永久磁石７９が初期位置である電磁コイル部７７のコイル部７７ｇの位置から外部側のコイル部７７ｄの位置までの間で移動する。
【００９０】
さらに、第３レンズ６８を移動させて焦点距離を調節する場合には、図１８に示す初期位置において第３レンズ枠６５の第３の永久磁石８０が対応する電磁コイル部７７のコイル部７７ｊに電流を流して磁界を発生させた後、これに隣接する外側（図１８では左側）のコイル部７７ｉに電流を流して磁界を発生させると、第３の永久磁石８０がコイル部７７ｉに引き寄せられ、この後、更にこれに隣接する外側（同図の左側）のコイル部７７ｈに電流を流して磁界を発生させると、第３の永久磁石８０がコイル部７７ｈに引き寄せられる。このように、この第３レンズ６８は、図１８および図１９に示すように、第３レンズ枠６５の第３の永久磁石８０が初期位置である電磁コイル部７７のコイル部７７ｊの位置から外部側のコイル部７７ｇの位置までの間で移動する。
【００９１】
一方、第１、第２ストロボ部６１、６２は、図１６に示すように、第２ケース２の背面における回転軸３の両側近傍にそれぞれ設けられている。これら第１、第２ストロボ部６１、６２は、図２０および図２１に示すように、発光素子８１と、この発光素子８１の光を反射するリフレクタ８２とを備えている。発光素子８１は、発光ダイオード（ＬＥＤ）からなっている。リフレクタ８２は、放物曲面または楕円曲面に形成され、その焦点位置に発光素子８１が配置され、これにより発光素子８１で発光した光をリフレクタ８２の光軸８２ａに対しほぼ平行に反射するように構成されている。この場合、各リフレクタ８２は、その光軸８２ａ上の焦点位置に対応する両側外面に支持軸８３が設けられ、この支持軸８３が支持部材８４によって回転可能に支持され、この支持軸８３を中心に第２ケース２の左右方向に回動して光の放射方向が変えられるように構成されている。
【００９２】
また、第１、第２ストロボ部６１、６２は、図２０および図２１に示すように、発光素子８１で発光した光の放射方向を撮影時における撮影部６０の焦点距離に応じて可変する光照射調節機構８５を備えている。この光照射調節機構８５は、距離測定部９３で測定した被写体までの距離の測定結果に基づいて、ストロボモータ８６を駆動し、このストロボモータ８６によって駆動歯車８７を回転させ、この駆動歯車８７でリフレクタ８２の支持軸８３に設けられた従動歯車８８を回転させることにより、図２１（ａ）および図２１（ｂ）に示すように、リフレクタ８２を回動させてリフレクタ８２による照射角度を撮影時における撮影部６０の焦点距離に応じて調節するように構成されている。
【００９３】
ところで、回転軸３の近傍における第１、第２ケース１、２の対向面には、図３に示したように、第１、第２ケース１、２の相対的な回転角度を検出する光センサ部３９が設けられている。この光センサ部３９は、実施形態１と同様、第１ケース１に設けられた発光素子４０と、第２ケース２に設けられた複数の受光素子４１ａ〜４１ｃとからなっている。この場合、複数の受光素子４１ａ〜４１ｃは、発光素子４０の回転移動軌跡に対応して設けられている。例えば、第１の受光素子４１ａは、第１、第２ケース１、２が互いに重なり合ったときに発光素子４０が対応してその光を受光し、第２の受光素子４１ｂは、第１、第２ケース１、２が相対的に９０°回転したときに発光素子４０が対応してその光を受光し、第３の受光素子４１ｃは、第１、第２ケース１、２が相対的に１８０°回転したときに発光素子４０が対応してその光を受光するように構成されている。
【００９４】
次に、この携帯電話機の回路構成について、図２２に示すブロック図を参照して説明する。この携帯電話機は、予め記憶されたプログラムに従って回路全般を制御するＣＰＵ９０を備えている。このＣＰＵ９０の周辺には、ＣＣＤなどの撮像素子７４からの画像信号を処理する画像処理回路９１と、撮影部６０のズーム機構部７０を駆動するズーム駆動回路９２と、撮影部６０で撮影する被写体までの距離を測定する距離測定部９３を駆動する測定回路９４と、第１、第２ストロボ部６１、６２の各発光素子８１を駆動する発光駆動回路９５と、光照射調節機構８５のストロボモータ８６を駆動するモータ駆動回路９６と、光センサ部３９を駆動して得られた検知信号を処理する検知回路９７と、シャッタスイッチ９の操作に応じた電気信号を処理するスイッチ回路９８と、電話情報や撮影画像などの情報を表示する表示部５の駆動を制御する表示駆動回路９９と、操作部６およびキー入力部７からの入力信号を処理する入力処理回路１００と、通話情報や画像情報などの情報を送信情報を処理してアンテナ１０に送ると共にアンテナ１０で受信した受信信号を処理する送受信回路１０１とを備えている。
【００９５】
この携帯電話機における撮影処理の動作フローについて、図２３を参照して説明する。この撮影処理は、電源スイッチがオンされて操作部６で撮影モードが選択されると、この処理フローがスタートし、撮影待機状態となる（ステップＳ１０）。そして、シャッタスイッチ９が半押し操作されたかを判断し（ステップＳ１１）、半押し操作されていなければステップＳ１０に戻って撮影待機状態を維持する。また、シャッタスイッチ９が半押し操作されると、撮影部６０の距離測定部９３で被写体までの距離を測定し（ステップＳ１２）、この測定結果に基づいて焦点距離合わせをする（ステップＳ１３）。このときには、撮影部６０のズーム機構部７０の電磁コイル部７７がズーム駆動回路９２によって駆動され、第１〜第３レンズ枠６３〜６５が距離測定部９３の測定結果に応じて移動し、これにより撮影部６０の焦点距離を合わせる。
【００９６】
すなわち、第１〜第３レンズ６６〜６８の各初期位置において、第１〜第３レンズ枠６３〜６５の第１〜第３の永久磁石７８〜８０がそれぞれ対応する電磁コイル部７７の各コイル部７７ｄ、７７ｇ、７７ｊに電流を流して磁界を発生させた後、これに隣接する外側（図１８では左側）の各コイル部７７ｃ、７７ｆ、７７ｉに電流を流して磁界を発生させて第１〜第３レンズ枠６３〜６５の第１〜第３の永久磁石７８〜８０をそれぞれ引き寄せ、この後、更にこれに隣接する外側の各コイル部７７ｂ、７７ｅ、７７ｈに電流を流して磁界を発生させて第１〜第３の永久磁石７８〜８０を各コイル部７７ｂ、７７ｅ、７７ｈにそれぞれ引き寄せる。これにより、第１〜第３レンズ枠６３〜６５を移動させて第１〜第３レンズ６６〜６８による焦点距離を合わせる。
【００９７】
このように第１〜第３レンズ６６〜６８の焦点距離合わせが行われると、光照射調節機構８５によって第１、第２ストロボ部６１、６２の各リフレクタ８２による光の放射方向を調節する（ステップＳ１４）。すなわち、焦点距離合わせが行われるときには、距離測定部９３で被写体までの距離を測定した測定結果に基づいて、モータ駆動回路９６が光照射調節機構８５のストロボモータ８６を駆動し、このストロボモータ８６によって駆動歯車８７を回転させ、この回転に伴ってリフレクタ８２の支持軸８３に設けられた従動歯車８８が回転する。これにより、第１、第２ストロボ部６１、６２の各リフレクタ８２がその支持軸８３を中心に回動し、撮影部６０の光軸４ａに対する各リフレクタ８２の光軸８２ａの交差角度を調節する。
【００９８】
例えば、焦点距離の長い遠くの被写体を撮影するときには、図２４（ａ）に示すように、撮影部６０の光軸４ａに対するリフレクタ８２の光軸８２ａの交差角度が小さくなるように、リフレクタ８２の回転角度を小さくし、これにより第１、第２ストロボ部６１、６２で発光する光を被写体に向けて集中させる。また、焦点距離の短い近くの被写体を撮影するときには、図２４（ｂ）に示すように、撮影部６０の光軸４ａに対するリフレクタ８２の光軸８２ａの交差角度が大きくなるように、リフレクタ８２の回転角度を大きくし、これにより第１、第２ストロボ部６１、６２で発光する光を被写体に向けて集中させる。このような状態でシャッタスイッチ９が完全に押し込まれると、第１、第２ストロボ部６１、６２をそれぞれ発光させ、その光を各リフレクタ８２で被写体に向けて集中させて照射し、この光が照射された被写体の画像を撮像素子７４で画像データとして取り込み、このフローを終了する。
【００９９】
このように、この携帯電話機によれば、表示部５を有する第１ケース１とキー入力部７を有する第２ケース２とを円筒状の回転軸３によって、第１、第２ケース１、２の互いに対向する各対向面に沿って回動可能に取り付け、この回転軸３内にズーム機構部７０を有する撮影部６０を設けているので、実施形態１と同様の作用効果があるほか、特に撮影部６０のズーム機構部７０を磁力によってズーム移動させるズーム駆動部を、多数のコイル部７７ａ〜７７ｊからなる電磁コイル部７７と、第１〜第３レンズ枠６３〜６５に設けられた永久磁石７８〜８０とで構成したので、機械的にズーム機構部をズーム移動させる構造のものに比べて、撮影部６０をコンパクトに構成することができる共に、撮影部６０のズーム機構部７０を電磁コイル部７７と永久磁石７８〜８０との磁力によって移動させるので、機構的な部分が少なく、撮影部６０が機械的に動作する構造に比べて、構造が簡単で、携帯時における耐衝撃性も高く、衝撃による故障を軽減することができる。
【０１００】
この場合、回転軸３が第１、第２ケース１、２をその互いに対向する面方向に回動可能に連結しているので、第１ケース１の表示部５と第２ケース２のキー入力部７とを同じ面方向に向けて設けることができる。このため、撮影部６０の撮影方向を表示部５の表示面と反対側に向けた状態で撮影部６０を回転軸３内に設けることができ、これにより表示部５を見ながら撮影部６０で撮影することができる。また、第１ケース１の表示部５と第２ケース２のキー入力部７とが同じ面方向を向いて設けられているので、第１ケース１の下に第２ケース２が重なる構造にすることにより、第１、第２ケース１、２を閉じた状態でも、また開いた状態でも、常に表示部５を露呈させることができる。このため、第１、第２ケース１、２を閉じた状態でも、また開いた状態でも、表示部５を見ながら撮影部６０で被写体を撮影することができるので、使い勝手の良いものを得ることができる。
【０１０１】
また、この携帯電話機では、撮影部６０で被写体を撮影するときに、光照射調節機構８５が撮影時における撮影部６０の焦点距離に応じて第１、第２ストロボ部６１、６２で発光する光の放射方向を可変するので、焦点距離の長い遠くの被写体を撮影するときにも、また焦点距離の短い近くの被写体を撮影するときにも、光照射調節機構８５によって第１、第２ストロボ部６１、６２で発光する光の照射方向を調節して、第１、第２ストロボ部６１、６２の光を被写体に向けて照射させることができる。このため、遠くの被写体を撮影するときにも、近くの被写体を撮影するときにも、第１、第２ストロボ部６１、６２で発光した光を効率良く被写体に向けて照射させることができ、これにより被写体そのものを明るく照明することができ、暗い所でも鮮明に被写体を撮影することができる。
【０１０２】
この場合には、第１、第２ストロボ部６１、６２が発光素子８１とリフレクタ８２とを２組み備え、光照射調節機構８５が撮影時における撮影部６０の焦点距離に応じて２組みの各リフレクタ８２による照射角度を可変させるので、例えば焦点距離の長い遠くの被写体を撮影するときには、撮影部６０の光軸４ａに対するリフレクタ８２の光軸８２ａの交差角度が小さくなるように、リフレクタ８２の回転角度を小さくし、また焦点距離の短い近くの被写体を撮影するときには、撮影部６０の光軸４ａに対するリフレクタ８２の光軸８２ａの交差角度が大きくなるように、リフレクタ８２の回転角度を大きくし、これにより焦点距離が長くても短くても、第１、第２ストロボ部６１、６２で発光した光を確実に被写体に向けて集中させて照射することができ、このため被写体を明るく且つ均一に照明することができる。
【０１０３】
なお、上記実施形態３では、光照射調節機構８５が、距離測定部９３で測定した被写体までの距離の測定結果に基づいて、ストロボモータ８６を駆動し、このストロボモータ８６によって駆動歯車８７を回転させ、この駆動歯車８７で従動歯車８８を回転させて、リフレクタ８２の支持軸８３を中心にリフレクタ８２を回動させることにより、リフレクタ８２による照射角度を撮影時における撮影部６０の焦点距離に応じて調節するように構成したが、これに限らず、例えば撮影時における撮影部６０の焦点距離に応じて移動する第３レンズ枠６５に連動させてリフレクタ８２を回動させることにより、リフレクタ８２による照射角度を撮影時における撮影部６０の焦点距離に応じて調節するように構成しても良い。このようにすれば、ストロボモータ８６の駆動源が不要で、構造も簡単になり、より一層、携帯電話機全体をコンパクトにすることができると共に、低価格化をも図ることができる。
【０１０４】
（実施形態４）
次に、図２５〜図２７を参照して、この発明を携帯電話機に適用した実施形態４について説明する。この場合には、図１６〜図２４に示された実施形態３と同一部分に同一符号を付して説明する。
この携帯電話機は、図２５および図２６に示すように、第１、第２ケース１、２のうち、撮影部６０が露呈する第２ケース２に１つのストロボ部１０５を設け、このストロボ部１０５による光の放射範囲を撮影部６０による撮影時の焦点距離に応じて可変する光照射調節機構１０６を備えた構造で、これ以外は実施形態３とほぼ同じ構造になっている。
【０１０５】
すなわち、このストロボ部１０５は、図２６に示すように、発光素子８１とリフレクタ８２とからなり、リフレクタ８２が放物曲面または楕円曲面に形成され、発光素子８１がリフレクタ８２の焦点位置に対しリフレクタ８２の光軸８２ａに沿って移動するように構成されている。光照射調節機構１０６は、距離測定部９３で測定した被写体までの距離の測定結果に基づいて、ストロボモータ１０７を駆動し、このストロボモータ１０７によって駆動歯車１０８を回転させ、この駆動歯車１０８で発光素子８１が設けられたラック１０９を移動させることにより、発光素子８１をリフレクタ８２の光軸８２ａに沿ってその焦点位置に対する接離方向に移動させ、リフレクタ８２による光の照射範囲を撮影時における撮影部６０の焦点距離に応じて調節するように構成されている。
【０１０６】
このような携帯電話機においても、実施形態３とほぼ同様の作用効果がある。すなわち、この携帯電話機では、ストロボ部１０５が発光素子８１とリフレクタ８２とからなり、光照射調節機構１０６が撮影時における撮影部６０の焦点距離に応じてストロボ部１０５の発光素子８１をリフレクタ８２の焦点位置に対しその光軸８２ａに沿って移動させることにより、焦点距離の長い遠くの被写体を撮影するときにも、また焦点距離の短い近くの被写体を撮影するときにも、ストロボ部１０５で発光した光を確実に被写体に向けて効率良く照射させることができ、これにより被写体そのものを明るく照明することができ、暗い所でも鮮明に被写体を撮影することができる。
【０１０７】
例えば、焦点距離の長い遠くの被写体を撮影するときには、図２７（ａ）に示すように、光照射調節機構１０６が発光素子８１をリフレクタ８２の焦点位置に近づけるように移動させることにより、リフレクタ８２による反射光をリフレクタ８２の光軸８２ａとほぼ平行にし、これにより発光素子８１の光を被写体に向けて集中させて照射することができる。また、焦点距離の短い近くの被写体を撮影するときには、図２７（ｂ）に示すように、光照射調節機構１０６が発光素子８１をリフレクタ８２の焦点位置から離れるように移動させることにより、リフレクタ８２による反射光をリフレクタ８２の光軸８２ａに対し拡散放射させ、これにより発光素子８１の光を被写体に向けて拡散させて照射させることができる。このため、この携帯電話機でも、実施形態３と同様、被写体そのものを明るく照明することができる。
【０１０８】
なお、上記実施形態４では、光照射調節機構１０６が、距離測定部９３で測定した測定結果に基づいて、ストロボモータ１０７を駆動し、このストロボモータ１０７によって駆動歯車１０８を回転させ、この駆動歯車１０８で発光素子８１が設けられたラック１０９を移動させることにより、発光素子８１をリフレクタ８２の光軸８２ａに沿ってその焦点位置に対する接離方向に移動させて、リフレクタ８２による光の照射範囲を撮影時における撮影部６０の焦点距離に応じて調節するように構成した場合について述べたが、これに限らず、例えば撮影時における撮影部６０の焦点距離に応じて移動する第３レンズ枠６５に連動させて発光素子８１を移動させることにより、リフレクタ８２による光の照射範囲を撮影時における撮影部６０の焦点距離に応じて調節するように構成しても良い。このようにすれば、ストロボモータ１０７の駆動源が不要で、構造も簡単になり、携帯電話機全体をコンパクトにすることができると共に、低価格化をも図ることができる。
【０１０９】
（実施形態５）
次に、図２８および図２９を参照して、この発明を携帯電話機に適用した実施形態５について説明する。この場合にも、図１６〜図２４に示された実施形態３と同一部分には同一符号を付して説明する。
この携帯電話機は、図２９（ａ）および図２９（ｂ）に示すように、第１、第２ケース１、２のうち、撮影部６０が露呈する第２ケース２における撮影部６０の両側に第１、第２ストロボ部６１、６２をそれぞれ設け、これら第１、第２ストロボ部６１、６２による光の照射方向を撮影時における撮影部６０の望遠状態と広角状態とに応じて可変させる光照射調節機構１１０を備えた構造で、これ以外は実施形態３とほぼ同じ構造になっている。この場合にも、第１、第２ストロボ部６１、６２は、実施形態３と同様、発光素子８１とリフレクタ８２とからなっている。
【０１１０】
すなわち、第１、第２ストロボ部６１、６２の各リフレクタ８２は、図２０および図２１に示したように、その光軸８２ａ上の焦点位置に対応する外面に支持軸８３が設けられ、この支持軸８３が支持部材８４によって回転可能に支持され、この支持軸８３を中心に第２ケース２の背面における左右方向に回動して光の放射方向が変えられるように構成されている。また、光照射調節機構１１０は、実施形態３と同様、撮影時における撮影部６０の望遠状態と広角状態とに応じてストロボモータ８６を回転させる構造で、ストロボモータ８６の回転によって駆動歯車８７を回転させ、この駆動歯車８７で従動歯車８８を回転させて、リフレクタ８２の支持軸８３を中心にリフレクタ８２を回動させることにより、リフレクタ８２による光の照射角度を調節するように構成されている。
【０１１１】
このような携帯電話機における撮影処理は、図２８の動作フローに示すように、電源スイッチがオンされて操作部６（図４参照）で撮影モードが選択され、この処理フローがスタートすると、撮影待機状態となり、操作部６が操作されて望遠状態と広角状態とのいずれかを選択する（ステップＳ２０）。そして、シャッタスイッチ９が半押し操作されたかを判断し（ステップＳ２１）、半押し操作されていなければステップＳ２０に戻って撮影待機状態を維持する。また、シャッタスイッチ９が半押し操作されると、撮影部６０の距離測定部９３で被写体までの距離を測定する（ステップＳ２２）。この距離測定部９３の測定結果に基づいて、撮影部６０のズーム機構部７０における電磁コイル部７７がズーム駆動回路９２によって駆動され、第１、第２レンズ６６、６７を望遠状態または広角状態に移動させると共に、第３レンズ６８を移動させて焦点距離を合わせる（ステップＳ２３）。
【０１１２】
そして、第１、第２レンズ６６、６７が望遠状態または広角状態に設定されて、第３レンズ６８によって焦点距離合わせが行われると、光照射調節機構１１０によって第１、第２ストロボ部６１、６２の各リフレクタ８２による光の放射方向を調節する（ステップＳ２４）。すなわち、第１、第２レンズ６６、６７が望遠状態または広角状態に設定されると、光照射調節機構１１０が撮影部６０の望遠状態または広角状態に応じて第１、第２ストロボ部６１、６２の各リフレクタ８２をその支持軸８３を中心に回動させ、これにより撮影部６０の光軸４ａに対する各リフレクタ８２の光軸８２ａの交差角度を調節する。
【０１１３】
例えば、望遠状態で被写体を撮影するときには、図２９（ａ）に示すように、撮影部６０の光軸４ａに対するリフレクタ８２の光軸８２ａの交差角度が小さくなるように、リフレクタ８２の回転角度を小さくし、これにより第１、第２ストロボ部６１、６２で発光する光を被写体に向けて集中させる。また、広角状態で被写体を撮影するときには、図２９（ｂ）に示すように、撮影部６０の光軸４ａに対するリフレクタ８２の光軸８２ａの交差角度が大きくなるように、リフレクタ８２の回転角度を大きくし、これにより第１、第２ストロボ部６１、６２で発光する光を交差させるように被写体に向けて集中させる。このような状態でシャッタスイッチ９が完全に押し込まれると、第１、第２ストロボ部６１、６２をそれぞれ発光させ、その光を各リフレクタ８２で被写体に向けて集中させて照射し、この光が照射された被写体の画像を撮像素子７４で画像データとして取り込み、このフローを終了する。
【０１１４】
このように、この携帯電話機においても、実施形態３とほぼ同様の作用効果がある。すなわち、この携帯電話機では、撮影部６０で被写体を撮影するときに、撮影部６０の望遠状態と広角状態とに応じて光照射調節機構１１０が第１、第２ストロボ部６１、６２による光の放射方向を調節することにより、望遠状態で被写体を撮影するときにも、また広角状態で被写体を撮影するときにも、第１、第２ストロボ部６１、６２の光を被写体に向けて集中させて照射させることができる。このため、望遠状態でも広角度状態でも、第１、第２ストロボ部６１、６２で発光した光を効率良く被写体に向けて照射させることができ、これにより被写体そのものを明るく照明することができ、暗い所でも鮮明に被写体を撮影することができる。
【０１１５】
この場合、第１、第２ストロボ部６１、６２が発光素子８１とリフレクタ８２とを２組み備え、光照射調節機構１１０が撮影時における撮影部６０の望遠状態と広角状態とに応じて２組みの各リフレクタ８２による光の照射角度を可変させるので、例えば望遠状態で被写体を撮影するときに、撮影部６０の光軸４ａに対するリフレクタ８２の光軸８２ａの交差角度が小さくなるように、リフレクタ８２の回転角度を小さくし、また広角状態で被写体を撮影するときに、撮影部６０の光軸４ａに対するリフレクタ８２の光軸８２ａの交差角度が大きくなるように、リフレクタ８２の回転角度を大きくし、これにより望遠状態でも広角状態でも、第１、第２ストロボ部６１、６２で発光した光を確実に被写体に向けて集中させて照射することができ、このため被写体を明るく且つ均一に照明することができる。
【０１１６】
なお、上記実施形態５では、光照射調節機構１１０が撮影時における撮影部６０の望遠状態と広角状態とに応じて２組みの各リフレクタ８２による光の照射角度を可変させるように構成した場合について述べたが、これに限らず、例えば図２５〜図２７に示した実施形態４と同様、第２ケース２に１つのストロボ部１０５を設け、このストロボ部１０５による光の放射範囲を撮影時における撮影部６０の望遠状態と広角状態とに応じて光照射調節機構１１０で可変するように構成しても良い。
【０１１７】
この場合にも、ストロボ部１０５は、発光素子８１がリフレクタ８２の焦点位置に対しリフレクタ８２の光軸８２ａに沿って移動するように構成されている。また、光照射調節機構１１０は、撮影時における撮影部６０の望遠状態と広角状態とに基づいて、ストロボモータ１０７を駆動し、このストロボモータ１０７の駆動歯車１０８を回転させ、この駆動歯車１０８で発光素子８１が設けられたラック１０９を移動させることにより、発光素子８１をリフレクタ８２の光軸８２ａに沿ってその焦点位置に対する接離方向に移動させて、リフレクタ８２による光の照射範囲を撮影時における撮影部６０の望遠状態と広角状態とに応じて調節するように構成すれば良い。
【０１１８】
このような携帯電話機においても、ストロボ部１０５が発光素子８１とリフレクタ８２とからなり、光照射調節機構１１０が撮影時における撮影部６０の望遠状態と広角状態とに応じてストロボ部１０５の発光素子８１をリフレクタ８２の焦点位置に対しその光軸８２ａに沿って移動させることができる。例えば、望遠状態で被写体を撮影するときには、光照射調節機構１１０が発光素子８１をリフレクタ８２の焦点位置に近づけるように移動させることにより、リフレクタ８２がその光軸８２ａとほぼ平行な光を放射し、これにより発光素子８１の光を被写体に向けて集中させて照射することができる。
【０１１９】
また、広角状態で被写体を撮影するときには、光照射調節機構１１０が発光素子８１をリフレクタ８２の焦点位置から離れるように移動させることにより、リフレクタ８２がその光軸８２ａに対し光を拡散放射し、これにより発光素子８１の光を被写体に向けて拡散させて照射させることができる。このため、この携帯電話機でも、撮影時の撮影状態が望遠状態であっても、また広角状態であっても、光照射調節機構１１０が撮影時における撮影部６０の望遠状態と広角状態とに応じてストロボ部１０５の光を被写体に向けて確実に照射させることができ、これにより実施形態３、４と同様、被写体そのものを明るく照明することができるので、暗い所でも鮮明に被写体を撮影することができる。
【０１２０】
なお、上記実施形態１〜５では、第１、第２ケース１、２の相対的な回転角度を検出する検出手段として、発光素子４０と複数の受光素子４１ａ〜４１ｃとからなる光センサ部３９を用いた場合について述べたが、これに限らず、例えば回転軸３に第１、第２ケース１、２の相対的な回転角度を検出するエンコーダを設けた構成でも良い。
【０１２１】
（実施形態６）
次に、図３０〜図３８を参照して、この発明を携帯電話機に適用した実施形態６について説明する。この場合には、図１〜図１３に示された実施形態１、および図１６〜図２３に示された実施形態３と同一部分に同一符号を付して説明する。
この携帯電話機は、実施形態１、３と同様、電話機能と撮影機能とを有するものであり、互いに重なり合う第１ケース１と第２ケース２とを備え、これら第１、第２ケース１、２を連結軸１２０によって開閉可能に取り付けると共に、この連結軸１２０内にズーム機能を有する撮影部１２１を設けた構成になっている。
【０１２２】
第１ケース１は、図３１〜図３３に示すように、ほぼ長方形状に形成され、その表裏面の一方、つまり図３３に示す上面に表示部５およびスピーカ部５３が設けられた構成になっている。この場合にも、表示部５は、液晶表示素子やＥＬ表示素子（エレクトロルミネッセンス表示素子）などの平面型に表示素子からなり、電話機能における電話データおよび撮影部１２１で撮影した画像のデータなどの情報を電気光学的に表示するように構成されている。また、スピーカ部５３は、通話時に相手の音声を発生するものであり、図３３に示すように、連結軸１２０から最も離れた第１ケース１の端部に設けられている。
【０１２３】
第２ケース２は、第１ケース１とほぼ同じサイズの大きさに形成されている。この第２ケース２における第１ケース１が重なり合う対向面には、実施形態１、３と同様、キー入力部７およびマイク部５４が設けられている。また、第２ケース２における手前側の側面には、図３２に示すように、シャッタスイッチ９が設けられており、この第２ケース２における連結軸１２０側に位置する側面には、図３１および図３２に示すように、アンテナ１０が出没可能に設けられている。この場合にも、キー入力部７は、図３３に示すように、テンキー、メモキー、マナーキーなどの電話機能に必要な各種のキーのほか、電話機能や撮影機能の各種のモードを切り替えるためのジォグダイヤル、電源釦、通話釦などの各種の釦を備え、第２ケース２の縦長状態において、各キーが第１ケース１に対向する第２ケース２の対向面に縦向きで配列されている。
【０１２４】
また、マイク部５４は、通話時に使用者の音声を電気信号に変換して取り込むものであり、図３３に示すように、連結軸１２０から最も離れた第２ケース２の端部に設けられている。シャッタスイッチ９は、実施形態３と同様、連結軸１２０の近傍に位置する第２ケース２の手前側の側面に設けられ、半分押された第１状態のときに、撮影部１２１のズーム機能を動作させるスイッチ信号を出力し、完全に押し込まれた第２状態のときに、撮影部１２１で被写体の画像を取り込むためのスイッチ信号を出力するように構成されている。
【０１２５】
連結軸１２０は、図３０に示すように、第１ケース１と第２ケース２との対向面、つまり第１ケース１の表示部５の表示面と第２ケース２のキー入力部７の入力面との両者に対して垂直方向に設けられた中空状の第１軸部１２３と、この第１軸部１２３に直交して設けられた棒状の第２軸部１２４とからなり、この第２軸部１２４が設けられた部分を除いて、第１軸部１２３が第２ケース２に回転可能に取り付けられ、第２軸部に第１ケース１が回動可能に取り付けられるように構成されている。
【０１２６】
すなわち、第１軸部１２３は、図３０に示すように、その上部に大径の頭部１２３ａが形成され、下部に小径の筒部１２３ｂが形成され、その大径の頭部１２３ａが第２ケース２の上方に突出した状態で、小径の筒部１２３ｂが第２ケース２の一端部（図３０では右端部）に上下に貫通して回転可能に取り付けられている。この場合、第１軸部１２３の頭部１２３ａは、第１ケース１の一端部（図３０では左端部）に形成された半円形状の切欠凹部１２５内に配置されるように構成されている。また、第２軸部１２４は、図３０に示すように、第１軸部１２３の頭部１２３ａの外周部に第１軸部１２３の中心軸に対し直交方向に向けて両側に突出して形成され、第１ケース１の切欠凹部１２５の内周面に対向して設けられた支持孔１２６内に回転可能に挿入され、この状態で第１ケース１が第２軸部１２４を中心に上下方向に回動するように構成されている。
【０１２７】
これにより、連結軸１２０は、図３３に示すように第１、第２ケース１、２がその各対向面に沿って相対的に回動すると共に、図３４に示すように第１ケース１が第２ケース２に対し起立する方向に回動するほか、図３５に示すように第１ケース１が第２ケース２に対し起立した状態で第２ケース２が回転するように構成されている。すなわち、図３３に示すように、第１、第２ケース１、２を開くときには、連結軸１２０の第１軸部１２３の筒部１２３ｂを中心に第１、第２ケース１、２をその面方向に回転させる。また、図３４に示すように、第１、第２ケース１、２を開くときには、連結軸１２０の第２軸部１２４を中心に第１ケース１を第２ケース２に対し起立するように上方に向けて回転させる。さらに、図３５に示すように、第１ケース１を第２ケース２上に起立させた状態で回転させるときには、第１軸部１２３の筒部１２３ｂを中心に第１ケース１を第２ケース２の面方向に沿って回転させる。
【０１２８】
これにより、第１、第２ケース１、２は、図３１および図３２に示すように、第１ケース１の表示部５と第２ケース２のキー入力部７とを対面させて重なり合うほか、図３６および図３７に示すように第１ケース１の表示部５を外部に露出させた状態で第１、第２ケース１、２が重なり合うように構成されている。なお、第１、第２ケース１、２は、連結軸１２０を介して接続部材（図示せず）によって電気的に接続されている。
【０１２９】
一方、撮影部１２１は、ズーム機能として望遠機能を有するものであり、図３８に示すように、その撮影方向を第２ケース２の背面側、つまり第２ケース２のキー入力部７の入力面と反対方向に向けた状態で連結軸１２０における第１軸部１２３の筒部１２３ｂ内にその軸方向に沿ってズーム移動可能に設けられている。この撮影部１２１は、実施形態１の撮影部４とほぼ同様に構成されている。すなわち、この撮影部１２１は、図３８に示すように、第１軸部１２３の筒部１２３ｂ内に同心円状態で固定された円筒状の鏡胴１１を備えている。
【０１３０】
この鏡胴１１の内部には、その軸方向に沿って移動可能に配置された第１、第２レンズ枠１２、１３と、この第１、第２レンズ枠１２、１３にそれぞれ取り付けられた第１、第２レンズ１４、１５と、第１軸部１２３の筒部１２３ｂ内に水晶フィルタ１６ａおよび保護ガラス１６ｂを介して第１軸部１２３の軸方向である光軸上に配置されて第１、第２レンズ１４、１５で投影された被写体の画像を電気信号に変換して出力するＣＣＤなどの撮像素子１７とが設けられている。また、鏡胴１１の外周部には、第１、第２レンズ１４、１５の第１、第２レンズ枠１２、１３を光軸である第１軸部１２３の軸方向に沿って移動させるズーム機構部１８が設けられている。
【０１３１】
すなわち、鏡胴１１の外周面には、図３８に示すように、その外面から内面に貫通するスリット状のガイド孔１１ａが第１軸部１２３の軸方向に沿って設けられており、第１、第２レンズ枠１２、１３には、鏡胴１１のガイド孔１１ａに挿入されて鏡胴１１の外周面側に突出し、この状態でガイド孔１１ａに沿って移動する第１、第２突起部１２ａ、１３ａが設けられている。これにより、第１、第２レンズ枠１２、１３は、鏡胴１１内で回転することなく、第１軸部１２３の軸方向に沿って第１、第２レンズ１４、１５と共に移動するように構成されている。
【０１３２】
ズーム機構部１８は、第１軸部１２３内における鏡胴１１の外周面に回転自在に設けられた回転筒１９と、この回転筒１９を回転させるためのズーム用のモータ２０とを備えている。この回転筒１９は、鏡胴１１の外周面の所定位置にその軸方向に移動することなく回転可能に取り付けられており、この回転筒１９の内周面には、実施形態１と同様、第１、第２螺旋溝１９ａ、１９ｂが設けられている。第１螺旋溝１９ａ内には、第１レンズ枠１２の第１突起部１２ａが鏡胴１１のガイド孔１１ａを通して挿入されており、第２螺旋溝１９ｂには、第２レンズ枠１３の第２突起部１３ａが鏡胴１１のガイド孔１１ａを通して挿入されている。
【０１３３】
また、この回転筒１９の外周面には、図３８に示すように、従動歯車２１が設けられている。モータ２０は、第１軸部１２３の近傍に位置する第２ケース２内に固定され、その出力軸に駆動歯車２２が電磁クラッチ１２７を介して設けられ、この駆動歯車２２が回転筒１９の従動歯車２１に噛み合って回転することにより、モータ２０の回転が回転筒１９に伝達されるように構成されている。この場合、電磁クラッチ１２７は、通電されない通常状態のときに、空転してモータ２０の回転が駆動歯車２２に伝わらず、シャッタスイッチ９が半押しされた第１状態のときに、通電されてモータ２０の回転を駆動歯車２２に伝達し、これにより連結軸１２０の第１軸部１２３に対し第２ケース２が回転するときに、その回転がモータ２０に伝わらないように構成されている。
【０１３４】
従って、このズーム機構部１８は、シャッタスイッチ９が半押しされて電磁クラッチ１２７が通電され、この状態でモータ２０が回転すると、その回転が電磁クラッチ１２７を介して駆動歯車２２に伝達され、この駆動歯車２２の回転が従動歯車２１によって回転筒１９に伝達され、これにより回転筒１９が回転し、この回転に伴って回転筒１９の第１、第２螺旋溝１９ａ、１９ｂが回転移動する。このときに、第１、第２螺旋溝１９ａ、１９ｂが鏡胴１１のガイド孔１１ａと交差する個所において、第１、第２レンズ枠１２、１３の第１、第２突起部１２ａ、１３ａを回転筒１９の第１、第２螺旋溝１９ａ、１９ｂが鏡胴１１のガイド孔１１ａに沿って移動させ、これにより第１、第２レンズ枠１２、１３を第１、第２レンズ１４、１５と共に第１軸部１２３の軸方向に沿って移動させる。
【０１３５】
この場合、ズーム機構部１８は、モータ２０が正回転して回転筒１９が図７に示す矢印Ｘ方向に回転すると、第１螺旋溝１９ａが第１レンズ枠１２を第１軸部１２３から外部（図７および図３８では左側）に向けて移動させると共に、第２螺旋溝１９ｂが第２レンズ枠１３を第１軸部１２３から外部（同図では左側）に向けて移動させながら第１レンズ枠１２に接近させ、これにより撮影範囲を望遠状態にするように構成されている。また、このズーム機構部１８は、モータ２０が逆回転して回転筒１９が図７に示す矢印Ｘ方向と反対方向に回転すると、第１、第２レンズ枠１２、１３が第１軸部１２３内に向けて移動し、第１、第２レンズ１４、１５を第１軸部１２３の内部に格納するように構成されている。
【０１３６】
このような携帯電話機によれば、実施形態１、３と同様、表示部５を有する第１ケース１とキー入力部７を有する第２ケース２とが撮影部１２１を内蔵した連結軸１２０によって開閉可能に連結されているので、第１、第２ケース１、２を開いて、表示部５の表示面とキー入力部７の入力面とを同じ方向に向けることができると共に、撮影部１２１の撮影方向を表示面および入力面に対して反対方向に向けることができる。これにより、第１、第２ケース１、２を開くだけの簡単な操作で表示部５の表示面を撮影部１２１の撮影方向と反対方向に向けることができる。このため、撮影するときに、表示部５に表示された被写体の画像を見ながら撮影することができると共に、撮影部１２１がズーム機構部１８を有していることにより、表示部５に表示された被写体の画像を見ながら被写体の撮影範囲を調節することができ、これにより所望する大きさの被写体の画像を良好に得ることができる。
【０１３７】
この場合、特に連結軸１２０は、図３０に示すように、第１ケース１と第２ケース２との対向面、つまり第１ケース１の表示部５の表示面と第２ケース２のキー入力部７の入力面との両者に対して垂直方向に設けられた中空状の第１軸部１２３と、この第１軸部１２３に直交して設けられた棒状の第２軸部１２４とからなり、この第２軸部１２４が設けられた第１軸部１２３の頭部１２３ａを除いて、第１軸部１２３の筒部１２３ｂが第２ケース２に回転可能に取り付けられ、第２軸部に第１ケース１が回動可能に取り付けられているので、第１、第２ケース１、２を開くときに、連結軸１２０の第１軸部１２３の筒部１２３ｂを中心に第１、第２ケース１、２の面方向に向けて回転させると、図３３に示すように、第１、第２ケース１、２を開くことができる。
【０１３８】
また、このときには、連結軸１２０の第２軸部１２４を中心に第１ケース１を第２ケース２に対して起立する上方に向けて回動させると、図３４に示すように、第１ケース１を第２ケース２上に起立させて開くことができる。この状態で、連結軸１２０の第１軸部１２３の筒部１２３ｂを中心に第１ケース１を第２ケース２に対して回転させると、図３５に示すように、第２ケース２のキー入力部７の入力面に対する第１ケース１の表示部５の表示面の向きを変えることができる。例えば、第１、第２ケース１、２を開いたときに、図３３に示すように、第１ケース１の表示部５の表示面と第２ケース２のキー入力部７の入力面を同じ方向に向けることができると共に、第１ケース１の表示部５の表示面と第２ケース２のキー入力部７の入力面を互いに反対方向に向けることもできる。
【０１３９】
これにより、第１、第２ケース１、２を重ね合わせて閉じたときにも、図３１および図３２に示すように、第１ケース１の表示部５の表示面と第２ケース２のキー入力部７の入力面とを対面させて互いに反対方向に向けることができると共に、図３６および図３７に示すように、第１ケース１の表示部５の表示面と第２ケース２のキー入力部７の入力面を同じ方向に向けることができる。これにより、第２ケース２のキー入力部７に対する第１ケース１の表示部５の向きを自由に選択することができる。
【０１４０】
この場合、前者のように第１ケース１の表示部５と第２ケース２のキー入力部７とが互いに対面して重なり合っているときには、第１ケース１の表示部５および第２ケース２のキー入力部７が外部に露呈ないため、表示部５およびキー入力部７を第１、第２ケース１、２で保護することができ、これにより安全に且つ良好に携帯することができる。また、後者のように第１ケース１の表示部５の表示面と第２ケース２のキー入力部７の入力面とが同じ方向を向いて重なり合っているときには、第２ケース２上に第１ケース１が重なり合うため、第１ケース１の表示部５が常に露呈することなる。このため、第１、第２ケース１、２を重ね合わせて閉じた状態でも、表示部５に表示された情報をいつでも自由に見ることができる。
【０１４１】
また、この携帯電話機で被写体を撮影する場合には、第１ケース１の表示部５の表示面と第２ケース２のキー入力部７の入力面とが同じ方向に向けると、これと反対方向に撮影部１２１の撮影方向を向けることができるので、図３３に示すように、第１、第２ケース１、２を開いた状態でも、また図３６および図３７に示すように、第１、第２ケース１、２を重ね合わせて閉じた状態でも、表示部５に被写体の画像を表示させ、この表示された被写体の画像を見ながら撮影部１２１で撮影することができる。このときには、撮影部１２１がズーム機構部１８を有しているので、表示部５に表示された被写体の画像を見ながら被写体の撮影範囲を調節することができ、これにより所望する大きさの被写体の画像を良好に得ることができる。
【０１４２】
この場合にも、撮影部１２１は、連結軸１２０の第１軸部１２３の筒部１２３ｂ内にその軸方向に沿ってズーム移動可能に設けられているので、実施形態１、３と同様、第１ケース１の表示部５および第２ケース２のキー入力部７が撮影部１２１によって制約を受けることがなく、表示部５およびキー入力部７の各設置領域を第１、第２ケース１、２にそれぞれ十分に確保することができる。また、シャッタスイッチ９が第２ケース２の側面に設けられているので、シャッタスイッチ９が表示部５またはキー入力部７を制約することがなく、これによっても表示部５およびキー入力部７の設置領域を十分に確保することができる。
【０１４３】
特に、第２ケース２の側面にシャッタスイッチ９が設けられていることにより、第１、第２ケース１、２を重ね合わせて閉じた状態でも、また第１、第２ケース１、２を互いに開いた状態でも、シャッタスイッチ９が常に外部に露出するので、シャッタスイッチ９を容易に且つ良好に操作することができる。この場合、シャッタスイッチ９が連結軸１２０の近傍に位置する第２ケース２の側面に設けられているので、第１、第２ケース１、２を重ね合わせて閉じた状態で第１、第２ケース１、２を両手で持っても、また第１、第２ケース１、２を互いに開いた状態で第２ケース２を片手で持っても、その手の指が自然にシャッタスイッチ９に接触する位置に配置されるので、撮影時にシャッタスイッチ９を良好に且つ確実に操作することができる。
【０１４４】
また、このシャッタスイッチ９は、半押し状態のときに撮影部１２１のズーム機構部１８を動作させ、完全に押し込んだときに撮影部１２１で被写体の画像を取り込むことにより、シャッタスイッチ９が半押し状態のときに撮影部１２１のズーム機構部１８を動作させて、被写体の撮影範囲を調節して被写体のアングルを設定することができ、この状態でシャッタスイッチ９が完全に押し込まれると、撮影部１２１で被写体の画像を取り込むので、被写体の画像を所望するアングルで良好に撮影することができる。
【０１４５】
なお、上記実施形態６では、撮影部１２１のズーム機構部１８が、モータ２０の回転を駆動歯車２２および従動歯車２１によって回転筒１９に伝達し、この回転筒１９の回転に伴って回転筒１９に設けられた第１、第２螺旋溝１９ａ、１９ｂによって、第１、第２レンズ枠１２、１３を第１、第２レンズ１４、１５と共に第１軸部１２３の軸方向に移動させるように構成した場合について述べたが、これに限らず、例えば実施形態３〜５と同様に、電磁コイル部７７で複数の永久磁石７８〜８０を移動させて、第１〜第３レンズ枠６３〜６５を第１〜第３レンズ６６〜６８と共に移動させるズーム機構部７０を用いた構成でも良い。
【０１４６】
このような構成のズーム機構部７０を用いれば、機械的にズーム機構部をズーム移動させる構造のものに比べて、撮影部１２１をコンパクトに構成することができると共に、この撮影部１２１のズーム機構部７０を磁力によってズーム移動させるので、機構的な部分が少なく、撮影部が機械的に動作する構造に比べて、構造が簡単で、携帯時における耐衝撃性も高く、衝撃による故障を軽減することができる。
【０１４７】
また、上記実施形態６においても、第１、第２ケース１、２の相対的な回転角度を検出する検出手段として、例えば連結軸１２０の第１軸部１２３に対する第１、第２ケースの回転角度を検出するエンコーダなどの検出手段を設け、この検出手段で検出された検出結果に基づいて表示部５の表示形態を制御することにより、第１、第２ケース１、２の開き状態に応じて表示部５の表示状態を縦向表示や横向表示に自動的に変更するように構成しても良い。このようにすれば、実施形態１〜５と同様、第１、第２ケース１、２の開き角度が変化しても、表示部５に表示された情報を見やすくすることができる。
【０１４８】
また、上記実施形態６においても、実施形態３〜５と同様、撮影部１２１の近傍に閃光を発する閃光部、例えば第１、第２ストロボ部６１、６２、またはストロボ部１０５を設け、この閃光部で被写体に光を照射させて撮影するように構成しても良く、またこの閃光部を光照射調節機構８５、１０６、１１０で被写体に対する光の照射状態を最適な状態に調節するようにしても良い。
【０１４９】
この場合、閃光部で発光する光の放射方向またはその光の放射範囲を撮影時における撮影部の焦点距離に応じて可変させる光照射調節機構を備えていることにより、焦点距離の長い遠くの被写体を撮影するときにも、また焦点距離の短い近くの被写体を撮影するときにも、閃光部で発光する光の放射方向またはその光の放射範囲を光照射調節機構によって調節することができ、これにより閃光部の光を確実に被写体に向けて効率良く照射させることができ、このため焦点距離の長い遠くの被写体を撮影するときにも、焦点距離の短い近くの被写体を撮影するときにも、被写体を明るく照明することができる。
【０１５０】
また、閃光部が発光素子とリフレクタとを複数組み備え、光照射調節機構が撮影時における撮影部の焦点距離に応じて複数組みの各リフレクタによる照射角度を可変させることにより、例えば焦点距離の長い遠くの被写体を撮影するときには、撮影部の光軸に対するリフレクタの光軸の交差角度が小さくなるように、リフレクタの回転角度を小さくし、また焦点距離の短い近くの被写体を撮影するときには、撮影部の光軸に対するリフレクタの光軸の交差角度が大きくなるように、リフレクタの回転角度を大きくし、これにより焦点距離が長くても短くても、閃光部の光を被写体に向けて集中させて照射することができ、このため被写体を明るく照明することができる。
【０１５１】
また、閃光部が発光素子とリフレクタとからなり、光照射調節機構が撮影時における撮影部の焦点距離に応じて発光素子をリフレクタの焦点位置に対し可変させることにより、例えば焦点距離の長い遠くの被写体を撮影するときには、光照射調節機構が発光素子をリフレクタの焦点位置に近づけるように移動させて、リフレクタによって放射される光をリフレクタの光軸とほぼ平行にし、これにより発光素子の光を被写体に向けて集中させて照射することができ、また焦点距離の短い近くの被写体を撮影するときには、光照射調節機構が発光素子をリフレクタの焦点位置から離れるように移動させて、リフレクタによって放射される光をリフレクタの光軸に対し拡散放射させ、これにより発光素子の光を被写体に向けて拡散させて照射させることができ、このため焦点距離が長くても短くても、被写体を明るく照明することができる。
【０１５２】
また、閃光部で発光する光の放射方向またはその光の放射範囲を撮影時における撮影部の望遠状態と広角状態とに応じて可変させる光照射調節機構を備えていることにより、望遠状態で被写体を撮影するときにも、また広角状態で被写体を撮影するときにも、閃光部で発光する光の放射方向またはその光の放射範囲を光照射調節機構によって調節することができ、これにより閃光部の光を確実に被写体に向けて効率良く照射させることができ、このため望遠状態で被写体を撮影するときにも、また広角状態で被写体を撮影するときにも、被写体を明るく照明することができる。
【０１５３】
また、閃光部が発光素子とリフレクタとを複数組み備え、光照射調節機構が撮影時における撮影部の望遠状態と広角状態とに応じて複数組みの各リフレクタによる照射角度を可変させることにより、例えば望遠状態で被写体を撮影するときには、撮影部の光軸に対するリフレクタの光軸の交差角度が小さくなるように、リフレクタの回転角度を小さくし、また広角度状態で被写体を撮影するときには、撮影部の光軸に対するリフレクタの光軸の交差角度が大きくなるように、リフレクタの回転角度を大きくし、これにより望遠状態でも広角状態でも、閃光部の光を被写体に向けて集中させて照射することができ、このため被写体を明るく照明することができる。
【０１５４】
さらに、閃光部が発光素子とリフレクタとからなり、光照射調節機構が撮影時における撮影部の望遠状態と広角状態とに応じて発光素子をリフレクタの焦点位置に対し可変させることにより、例えば望遠状態で被写体を撮影するときには、光照射調節機構が発光素子をリフレクタの焦点位置に近づけるように移動させて、リフレクタによって放射される光をリフレクタの光軸とほぼ平行にし、これにより発光素子の光を被写体に向けて集中させて照射することができ、また広角状態で被写体を撮影するときには、光照射調節機構が発光素子をリフレクタの焦点位置から離れるように移動させて、リフレクタによって放射される光をリフレクタの光軸に対し拡散放射させ、これにより発光素子の光を被写体に向けて拡散させて照射させることができ、このため望遠状態でも広角状態でも、被写体を明るく照明することができる。
【０１５５】
なおまた、上記実施形態１〜６およびその各変形例において、第１、第２ケース１、２を互いに重ね合わせて閉じた状態から第１、第２ケース１、２を開いた状態に移行すると、撮影部４、５５、６０、１２１を回転軸３内または連結軸１２０内に一旦格納する格納手段を備えていることが望ましい。このようにすれば、第１、第２ケース１、２を重ね合わせて閉じた状態から第１、第２ケース１、２を開いて、電話機能で通話するときに、格納手段によって撮影部４、５５、６０、１２１を回転軸３ま内たは連結軸１２０内に一旦格納することができるので、撮影部４、５５、６０、１２１が傷付いたり邪魔になったりせず、良好に使用することができる。
【０１５６】
また、上記実施形態１〜６およびその各変形例では、携帯電話機に適用した場合について述べたが、これに限らず、ＰＤＡ（パーソナル・デジタル・アシスタント）などの携帯端末機にも適用することができる。
【図面の簡単な説明】
【０１５７】
【図１】この発明を適用した携帯電話機の閉じた状態の正面図である。（実施形態１）
【図２】図１の携帯電話機を上方から見た場合を示し、（Ａ）はその携帯電話機を閉じた状態の平面図であり、（Ｂ）は携帯電話機を開いて撮影部をズーム駆動させた状態の平面図である。
【図３】図１の背面図である。
【図４】図１の携帯電話機を開いた状態の正面図である。
【図５】図４の背面図である。
【図６】図２（Ｂ）の撮影部を示した要部の拡大断面図である。
【図７】図６の撮影部におけるズーム機構部の構造を示した断面図である。
【図８】図７の撮影部においてズーム状態を示した断面図である。
【図９】図６のズーム機構部のモータで第１、第２ケースを相対的に回転させる回転伝達部を概略的に示した平面図である。
【図１０】図９のＡ−Ａ矢視における要部の拡大断面図である。
【図１１】図１の携帯電話機の回路構成を示したブロック図である。
【図１２】図１１の回路構成における表示部の表示切替制御処理の動作フローを示した図である。
【図１３】図１１の回路構成における撮影部のズーム制御処理の動作フローを示した図である。
【図１４】この発明を適用した携帯電話機における撮影部の拡大断面図である。（実施形態２）
【図１５】図１４の撮影部においてズーム状態を示した拡大断面図である。
【図１６】この発明を適用した携帯電話機を閉じて撮影する状態を示した背面図である。（実施形態３）
【図１７】図１６の撮影部を拡大して示した断面図である。
【図１８】図１７の撮影部を原理的に示した非撮影時の拡大断面図である。
【図１９】図１８の撮影部のズーム状態を原理的に示した拡大断面図である。
【図２０】図１６の第１、第２ストロボ部の構成を原理的に示した図である。
【図２１】図２０の第１、第２ストロボ部の動作状態を示し、（ａ）はリフレクタをその光軸が撮影部の光軸とほぼ平行になるように回転させた状態を示した図、（ｂ）はリフレクタをその光軸が撮影部の光軸に対し交差するように回転させた状態を示した図である。
【図２２】図１６の携帯電話機の回路構成を示したブロック図である。
【図２３】図２２の回路構成における撮影処理の動作フローを示した図である。
【図２４】図１６の携帯電話機における第１、第２ストロボ部の発光状態を示し、（ａ）は焦点距離の長い遠くの被写体を撮影するときの第１、第２ストロボ部による光照射状態を示した図、（ｂ）は焦点距離の短い近くの被写体を撮影するときの第１、第２ストロボ部による光照射状態を示した図である。
【図２５】この発明を適用した携帯電話機を閉じた状態の背面図である。（実施形態４）
【図２６】図２５のストロボ部を原理的に示した構成図である。
【図２７】図２６のストロボ部の動作状態を示し、（ａ）は発光素子をリフレクタの焦点位置に移動させた状態を示した図、（ｂ）は発光素子をリフレクタの焦点位置から離れる方向に移動させた状態を示した図である。
【図２８】この発明を適用した携帯電話機における撮影処理の動作フローを示した図である。（実施形態５）
【図２９】図２８の携帯電話機における第１、第２ストロボ部の発光状態を示し、（ａ）は焦点距離の長い遠くの被写体を撮影するときの第１、第２ストロボ部による光照射状態を示した図、（ｂ）は焦点距離の短い近くの被写体を撮影するときの第１、第２ストロボ部による光照射状態を示した図である。
【図３０】この発明を携帯電話機に適用した要部の分解斜視図である。（実施形態６）
【図３１】図３０の携帯電話機の第１、第２ケースを重ね合わせて上方から見た斜視図である。
【図３２】図３１の携帯電話機における第２ケースの下面を正面に向けて横向きにした状態の斜視図である。
【図３３】図３１の第１、第２ケースを開いた状態の斜視図である。
【図３４】図３３の第１ケースを第２ケース上に起立させた状態の斜視図である。
【図３５】図３４の第１ケースを第２ケース上で回転させた状態の斜視図である。
【図３６】図３３の第１ケースの表示部を露呈させて第１、第２ケースを重ね合わせた状態の斜視図である。
【図３７】図３６の状態の携帯電話機で撮影する場合を示した斜視図である。
【図３８】図３７の撮影部の拡大断面図である。
【符号の説明】
【０１５８】
１  第１ケース
２  第２ケース
３  回転軸
４、５５、６０、１２１  撮影部
５  表示部
６  操作部
７  キー入力部
８  操作スイッチ
９  シャッタスイッチ
１０  アンテナ
１１  鏡胴
１１ａ  ガイド孔
１２、１３  第１、第２レンズ枠
１２ａ、１３ａ  第１、第２突起部
１４、１５  第１、第２レンズ
１７、７４  撮像素子
１８、５６、７０  ズーム機構部
１９  回転筒
１９ａ、５７  第１螺旋溝
１９ｂ、５８  第２螺旋溝
２０、８６  モータ
２３  回転伝達部
３９  光センサ部
４５、９０  ＣＰＵ
４６、９１  画像処理回路
４７、９６  モータ駆動回路
４８、９７  検知回路
４９、９８  スイッチ回路
５０、９９  表示駆動回路
５１、１００  入力処理回路
６１  第１ストロボ部
６２  第２ストロボ部
６３〜６５  第１〜第３レンズ枠
６６〜６８  第１〜第３レンズ
７７  電磁コイル部
７８〜８０  永久磁石
８５、１０６、１１０  光照射調節機構
９２  ズーム駆動回路
９３  距離測定部
９４  測定回路
９５  発光駆動回路
１０５  ストロボ部
１２０  連結軸
１２３  第１軸部
１２３ａ  頭部
１２３ｂ  筒部
１２４  第２軸部
【図１】
2005295228.tif 000003
【図２】
2005295228.tif 000004
【図３】
2005295228.tif 000005
【図４】
2005295228.tif 000006
【図５】
2005295228.tif 000007
【図６】
2005295228.tif 000008
【図７】
2005295228.tif 000009
【図８】
2005295228.tif 000010
【図９】
2005295228.tif 000011
【図１０】
2005295228.tif 000012
【図１１】
2005295228.tif 000013
【図１２】
2005295228.tif 000014
【図１３】
2005295228.tif 000015
【図１４】
2005295228.tif 000016
【図１５】
2005295228.tif 000017
【図１６】
2005295228.tif 000018
【図１７】
2005295228.tif 000019
【図１８】
2005295228.tif 000020
【図１９】
2005295228.tif 000021
【図２０】
2005295228.tif 000022
【図２１】
2005295228.tif 000023
【図２２】
2005295228.tif 000024
【図２３】
2005295228.tif 000025
【図２４】
2005295228.tif 000026
【図２５】
2005295228.tif 000027
【図２６】
2005295228.tif 000028
【図２７】
2005295228.tif 000029
【図２８】
2005295228.tif 000030
【図２９】
2005295228.tif 000031
【図３０】
2005295228.tif 000032
【図３１】
2005295228.tif 000033
【図３２】
2005295228.tif 000034
【図３３】
2005295228.tif 000035
【図３４】
2005295228.tif 000036
【図３５】
2005295228.tif 000037
【図３６】
2005295228.tif 000038
【図３７】
2005295228.tif 000039
【図３８】
2005295228.tif 000040